(57)【要約】  本開示は、ビームを復元する処理方法および装置を提供する。前記方法は：ビーム関連パラメータセット内のＫ個の要素が閾値をトリガするとき、第１タイプシグナリングを生成するステップ；前記第１タイプシグナリングを第２通信ノードに対して送信するステップ；を有し、前記ビーム関連パラメータセットはＱ個の要素を含み、ＱとＫは正整数であり、ＫはＱ以下である。本開示を介して、ミリ波通信システムにおいてビームリンクエラー後にビームを復元できないこと、および、ビームとチャネル状態情報レポートまたはビームとチャネル状態情報レポートリクエストを動的に開始できないこと、という技術的課題を解決する。【選択図】図１
2020515180.tif 000002
【特許請求の範囲】
【請求項１】
第１通信ノードに対して適用される、ビームを復元する処理方法であって、
ビーム関連パラメータセット内のＫ個の要素が閾値をトリガするとき、第１タイプシグナリングを生成するステップ、
前記第１タイプシグナリングを第２通信ノードに対して送信するステップ、
を有し、
前記ビーム関連パラメータセットはＱ個の要素を含み、ＱとＫは正整数であり、ＫはＱ以下である
ことを特徴とする方法。
【請求項２】
前記第１タイプシグナリングは、１つのビームレポート情報またはそのグループ、またはスケジューリングリクエストのうち少なくともいずれかを含み、
前記ビームレポート情報は、前記第１通信ノードまたは前記第２通信ノードが送信する情報のうち、
基準信号ポートインデックス、基準信号リソースインデックス、基準信号リソースセットインデックス、基準信号リソース割当インデックス、検索空間セット内の要素に対応するインデックス、合意ビームセット内の要素に対応するインデックス、
のなかの少なくともいずれかによって表される
ことを特徴とする請求項１記載の方法。
【請求項３】
前記ビームレポート情報は、前記第１タイプシグナリングが占有する時間−周波数リソース位置によって表される
ことを特徴とする請求項２記載の方法。
【請求項４】
前記スケジューリングリクエストは、前記第１通信ノードが前記第２通信ノードに対して送信するビームレポートリクエストのシグナリングを含む
ことを特徴とする請求項２記載の方法。
【請求項５】
前記方法はさらに、
前記第２通信ノードから前記スケジューリングリクエストに対するスケジューリングリクエスト応答を受信するステップ、
前記スケジューリングリクエスト応答が割り当てたリソース上でビームレポートを実行するステップ、
を有し、
前記割り当てたリソースは、アップリンク制御チャネルまたはアップリンクデータチャネルを含み、前記割り当てたリソースがアップリンク制御チャネルである場合、前記ビームレポートはアップリンク制御情報（ＵＣＩ）によって搬送され、前記割り当てたリソースがアップリンクデータチャネルである場合、前記ビームレポートはメディアアクセスコントロール制御エレメント（ＭＡＣ−ＣＥ）または無線リソース制御（ＲＲＣ）シグナリングによって搬送される
ことを特徴とする請求項２記載の方法。
【請求項６】
前記ビームレポートは、
基準信号タイプ、基準信号リソースセットインデックス、基準信号リソースインデックス、基準信号ポートインデックス、検索空間セット内の要素に対応するインデックス、合意ビームセット内の要素に対応するインデックス、ビームグループインデックス、受信ビームグループインデックス、アンテナグループインデックス、
のうち少なくともいずれかの情報を含む
ことを特徴とする請求項５記載の方法。
【請求項７】
基準信号リソース構成インデックスの関係は、リソース割当インデックスによって疑似同位置（ＱＣＬ）仮定を充足することを表す
ことを特徴とする請求項２記載の方法。
【請求項８】
第２通信ノードに対して前記第１タイプシグナリングを送信する前において、前記方法はさらに、
前記第１タイプシグナリングを搬送することができるとともに、前記第２通信ノードの構成によって示される、チャネルセットを受信するステップを有し、前記チャネルセットは：専用チャネル、物理ランダムアクセスチャネル（ＰＲＡＣＨ）、構成済許可チャネル、またはスケジューリングリクエストリソース、のうち１以上の組み合わせを含み、
前記専用チャネルは、前記第１タイプシグナリングを搬送するものであり、前記ＰＲＡＣＨチャネルおよび前記構成済許可チャネルと同じ時間ドメインリソースまたは異なる時間ドメインリソースを占有するが、前記ＰＲＡＣＨチャネルおよび前記構成済許可チャネルに対して直交し；前記スケジューリングリクエストリソースは、前記第２通信ノード専用かつ前記第１通信ノードが前記第２通信ノードに対して割り当てたスケジューリングリクエストリソースを表し、各Ｄ個のサブフレームは１回現れ、Ｄは１以上の整数である
ことを特徴とする請求項１記載の方法。
【請求項９】
前記第１通信ノードは、前記チャネルセットからサブセットを選択して、前記第１タイプシグナリングを搬送および送信する
ことを特徴とする請求項８記載の方法。
【請求項１０】
複数の専用チャネルは、専用チャネルセットを構成する
ことを特徴とする請求項８記載の方法。
【請求項１１】
前記第１タイプシグナリングは、前記専用チャネルセット内の前記専用チャネルにおいて、ビームスキャン、測定、および決定を実行するために、前記第１通信ノードから前記第２通信ノードに対して繰り返し送信される
ことを特徴とする請求項１０記載の方法。
【請求項１２】
前記ＰＲＡＣＨの構成シグナリングは、結合態様において、前記専用チャネルセットの構造を示す
ことを特徴とする請求項１０記載の方法。
【請求項１３】
前記第１タイプシグナリングを前記第２通信ノードに対して送信した後において、前記方法はさらに、
前記ビームレポート情報において示されるビームを用いて、前記第２通信ノードが送信した第２タイプシグナリングを受信するステップを有し、前記第２タイプシグナリングは、前記第１通信ノードの前記第１タイプシグナリングを前記第２通信ノードが確認したことを識別するように構成されている
ことを特徴とする請求項２記載の方法。
【請求項１４】
前記第２タイプシグナリングは、１つのビーム通知情報またはそのグループを含み、前記ビーム通知情報は、前記第１通信ノードまたは前記第２通信ノードが送信する、
基準信号ポートインデックス、基準信号リソースインデックス、基準信号リソースセットインデックス、基準信号リソース割当インデックス、検索空間セット内の要素に対応するインデックス、合意ビームセット内の要素に対応するインデックス、
のうち少なくともいずれかの情報によって表される
ことを特徴とする請求項１３記載の方法。
【請求項１５】
前記ビーム通知情報は、前記第２タイプシグナリングが占有する時間−周波数リソース位置によって表される
ことを特徴とする請求項１４記載の方法。
【請求項１６】
前記第１通信ノードのアップリンクとダウンリンクとの間のビーム対応関係が条件を充足するとき、前記第１タイプシグナリングは前記ビームレポート情報を含まない
ことを特徴とする請求項１記載の方法。
【請求項１７】
前記第１タイプシグナリングは、
ビームレポートを動的に開始する、
スケジューリングリソースを申請する、
ビームリンク復元を開始する、
ビームリンク確立を開始する、
のうち少なくともいずれかのために用いられる
ことを特徴とする請求項１記載の方法。
【請求項１８】
前記ビーム関連パラメータセットは、
Ｎ個の第１タイプビームリンクの品質、
Ｎ個の第１タイプビームリンクの品質と、Ｋ個の第２タイプビームリンクの品質合計との間の差分または比率、
時間−周波数チャネル応答または周波数−時間チャネル応答の相関と、Ｎ個の第１タイプビームリンクとＫ個の第２タイプビームリンクの空間ドメイン相関、
Ｎ個の第１タイプビームリンクのアジマス角と、Ｋ個の第２タイプビームリンクのアジマス角との間の差分または比率、
Ｋ個の第２タイプビームリンクの品質、
第２タイプビームリンク全ての品質、
アップリンク制御チャネルまたはデータチャネルを最後に受信成功してからの蓄積時間、
受信失敗の蓄積回数、
ビームグループの調整情報、
前記ビーム関連パラメータ内に含まれるパラメータの重み値または重み付き相関値、
のうちいずれかを含み、
前記第２タイプビームリンクは、Ｓ個の構成済ビームリンクセットまたはＳ個の構成済ビームリンクセットのなかのＳ１個のアクティブ化セットに関連しており、
前記第１タイプビームリンクは、Ｓ個の構成済ビームリンクセットまたはＳ個の構成済ビームリンクセットのなかのＳ１個のアクティブ化セットからではないものを表し、
前記構成済ビームリンクは、前記第１通信ノードが前記第２通信ノードに対してレポートしたビームリンク、または、前記第２通信ノードが前記第１通信ノードに対して通知したビームリンクであり、
Ｎ、Ｋ、Ｓ、Ｓ１は１以上の整数であり、Ｓ１は以下である
ことを特徴とする請求項１記載の方法。
【請求項１９】
前記構成済ビームリンクは、
前記第２通信ノードが前記第１通信ノードに対して通知したビームリンク、または、前記第１通信ノードが前記第２通信ノードに対してレポートしたビームリンク、
を含む
ことを特徴とする請求項１８記載の方法。
【請求項２０】
ビームリンクは、
送信ビーム、受信ビーム、送受信ビームペア、ビームグループ、受信ビームグループ、送信ビームグループ、受信モード、アンテナ組み合わせ、制御チャネル、
のうちいずれかに対応する
ことを特徴とする請求項１８記載の方法。
【請求項２１】
ビームリンクの品質は、
ブロックエラー率（ＢＬＥＲ）、受信信号パワー、ＲＳＲＰ、ＲＳＲＱ、チャネル容量、受信端における信号対干渉プラスノイズ比、受信端における信号対ノイズ比、
のうちいずれかを含む
ことを特徴とする請求項１８記載の方法。
【請求項２２】
前記第１タイプシグナリングは、構成済または事前定義シグナリングセットの要素である
ことを特徴とする請求項１記載の方法。
【請求項２３】
前記シグナリングセットの要素は、
シーケンス、またはシーケンスとそのシーケンスが占有する周波数ドメインリソース、またはシーケンスとそのシーケンスが用いる時間ドメインリソース、またはシーケンス番号のグループとそのグループが占有する時間−周波数リソース、またはシーケンス番号のグループとそのグループが占有する時間−周波数リソース、特定の関数に基づくホッピング、
によって構成されている
ことを特徴とする請求項２２記載の方法。
【請求項２４】
前記シグナリングセットの要素は、前記第１通信ノード専用であるか、またはＢ個の前記第１通信ノードが共有し、Ｂは１以上の整数である
ことを特徴とする請求項２２記載の方法。
【請求項２５】
前記シグナリングセットは、
前記第１通信ノードが構成する、
前記第２通信ノードが構成し、構成リクエストは前記第１通信ノードが送信する、
前記第２通信ノードが構成する、
前記第１通信ノードが構成し、前記第２通信ノードが有効である旨を選択する、
前記第２通信ノードが構成し、前記第１通信ノードが有効である旨を選択する、
のうちいずれかによって構成されている
ことを特徴とする請求項２２記載の方法。
【請求項２６】
前記第１通信ノードが前記構成リクエストを構成または送信する条件は、
前記条件は、非連続受信（ＤＲＸ）モードに入ることである、
Ｋ個の前記第２タイプビームリンクの品質が第１閾値未満である、
前記第２タイプビームリンク全ての品質が第２閾値未満である、
前記制御チャネル／データチャネルを最後に受信成功してからの蓄積時間が第３閾値よりも大きい、
受信失敗の蓄積回数が第４閾値よりも大きい、
前記パラメータの重み値または重み付き相関値が第５閾値の要件を充足する、
のうち少なくともいずれかを含む
ことを特徴とする請求項２５記載の方法。
【請求項２７】
前記第１タイプシグナリングのセットの要素は、
前記第１通信ノードのＩＤ、
前記第１タイプシグナリングが送信するＯ個の搬送時間−周波数リソース、
前記第１タイプシグナリングが送信した時間−周波数リソースの位置と、前記位置が示す基準信号との間の対応関係、
前記第１タイプシグナリング送信後において、前記第２通信ノードが前記第１通信ノードに対して制御シグナリングを送信する送信モード、
前記第１タイプシグナリング送信後において、前記第２通信ノードが前記第１通信ノードに対して制御シグナリングを送信することにより占有する時間−周波数リソースまたは時間−周波数リソースの範囲、
前記第１タイプシグナリング送信後において、前記第２通信ノードが前記第１通信ノードに対して制御シグナリングを送信するブラインドテスト条件、
前記第１通信ノードが前記第２通信ノードに対して送信する基準信号の送信構成、
前記第１通信ノードが前記第２通信ノードに対して送信する基準信号の測定構成、
前記第１通信ノードが前記第２通信ノードに対して送信する基準信号のレポート構成、
前記第２通信ノードが前記第１通信ノードに対して送信する基準信号の送信構成、
前記第２通信ノードが前記第１通信ノードに対して送信する基準信号の測定構成、
前記第２通信ノードが前記第２通信ノードに対して送信する基準信号のレポート構成、
のうち少なくともいずれかの構成パラメータに関連しており、
Ｏは１以上の整数である
ことを特徴とする請求項２２記載の方法。
【請求項２８】
前記シグナリングセットの要素はさらに、ＰＲＡＣＨにアクセスするときの専用競合なしシーケンスを含む
ことを特徴とする請求項２２記載の方法。
【請求項２９】
前記基準信号の送信構成は、
基準信号タイプ、アンテナポート、基準信号リソース、前記基準信号リソースが占有する時間−周波数リソースまたは時間−周波数リソースの範囲、
のうち少なくともいずれかのパラメータを含む
ことを特徴とする請求項２７記載の方法。
【請求項３０】
前記第１タイプシグナリングが示すパラメータのうち一部または全部は、一括符号化および／または一括識別される
ことを特徴とする請求項２７記載の方法。
【請求項３１】
前記第１タイプシグナリングはさらに、バックアップビーム測定シグナリングを含み、前記バックアップビーム測定シグナリングは、前記第１通信ノードのビームセット内の事前構成要素を前記第２通信ノードが用いて基準信号、制御チャネル、またはデータチャネルを送信することを表す
ことを特徴とする請求項１記載の方法。
【請求項３２】
前記第１通信ノードのＩＤは、
前記第１通信ノード固有のＩＤシンボル、複数の前記第１通信ノードを構成する共有ＩＤシンボル、競合によって得たＩＤ番号、
のうちいずれかを含む
ことを特徴とする請求項２７記載の方法。
【請求項３３】
前記シグナリングセットが構成済シグナリングセットである場合、前記構成済シグナリングセットは、その後に前記構成済シグナリングセットが無効となる有効時間ウインドウを有する
ことを特徴とする請求項２７記載の方法。
【請求項３４】
前記シグナリングセットまたは前記シグナリングセット内のパラメータのうち少なくとも１つのシグナリングと対向する少なくとも１つの有効時間ウインドウが存在する
ことを特徴とする請求項３３記載の方法。
【請求項３５】
前記有効時間ウインドウを構成するステップは、
現在構成から開始して次の再構成まで無効とする；現在構成から開始してＴ時間単位後に無効となる；現在構成から開始し、第１タイプシグナリングの送信のＹ１番目時間後、または第１タイプシグナリングの受信成功のＹ２番目時間後、または第２タイプシグナリングの送信のＹ３番目時間後、または第２タイプシグナリングの受信成功のＹ４番目時間後、に無効となる；トリガリング閾値が条件を充足したときＴ時間単位後に無効となる；第１通信ノードが第２通信ノードに対してＡＣＫ／ＮＡＣＫを最後にフィードバックした後のＴ時間単位後に無効となる；第２通信ノードがフィードバックしたＡＣＫ／ＮＡＣＫを第１通信ノードが最後に受信した後のＴ時間単位後に無効になる；第２通信ノードが第１通信ノードに対してＡＣＫ／ＮＡＣＫを最後に送信した後のＴ時間単位後に無効になる；第２通信ノードが第１通信ノードに対して最後にＡＣＫ／ＮＡＣＫを送信した後のＴ時間単位後に無効になる。Ｔ、Ｙ１、Ｙ２、Ｙ３、Ｙ４は、１以上の整数であり、Ｔ、Ｙ１、Ｙ２、Ｙ３、Ｙ４は、第１通信ノードまたは第２通信ノードが事前定義しまたは構成する
のうちいずれかまたはその組み合わせを含む
ことを特徴とする請求項３３または３４記載の方法。
【請求項３６】
前記第１通信ノードが前記第２通信ノードに対して前記第１タイプシグナリングを複数回送信した後、または、蓄積待機時間もしくは前記複数回と前記蓄積待機時間の組み合わせによる時間が第６閾値を超えた場合、前記第１通信ノードの物理層は高次層に対してリンクエラーリクエストを送信する
ことを特徴とする請求項１記載の方法。
【請求項３７】
前記第１タイプシグナリングを前記第２通信ノードに対して送信する送信パワーは、
ランダムアクセスチャネルＰＲＡＣＨのパワー送信ルールを準拠する、フルパワーで送信する、これらパワーの重み付き値を用いて送信する、
のうちいずれかを充足する
ことを特徴とする請求項１記載の方法。
【請求項３８】
前記第１タイプシグナリングを送信した後、前記方法はさらに、
基準信号、ダウンリンク制御チャネル、またはダウンリンクデータチャネルと第１タイプ情報通知ビームの基準信号のうち少なくともいずれかは、疑似同一（ＱＣＬ）仮定を充足する
ことを特徴とする請求項１記載の方法。
【請求項３９】
前記第１タイプシグナリングを送信した後、前記方法はさらに、
基準信号、アップリンク制御チャネル、またはアップリンクデータチャネルと第２タイプ情報通知ビームの基準信号のうち少なくともいずれかは、ＱＣＬ仮定を充足する
ことを特徴とする請求項１記載の方法。
【請求項４０】
前記第２タイプシグナリングは、前記第１通信ノードのＩＤ情報を含む
ことを特徴とする請求項１３または２７記載の方法。
【請求項４１】
前記第２タイプシグナリングはさらに、
前記第１通信ノードが前記第２通信ノードに対して送信する基準信号の送信構成、
前記第１通信ノードが前記第２通信ノードに対して送信する基準信号の測定構成、
前記第１通信ノードが前記第２通信ノードに対して送信する基準信号のレポート構成、
前記第２通信ノードが前記第１通信ノードに対して送信する基準信号の送信構成、
前記第２通信ノードが前記第１通信ノードに対して送信する基準信号の測定構成、
前記第２通信ノードが前記第１通信ノードに対して送信する基準信号のレポート構成、
のうち少なくともいずれかの情報を含む
ことを特徴とする請求項１３記載の方法。
【請求項４２】
前記第１タイプシグナリングが前記第１通信ノードのＩＤを一意に示すことができない場合、前記第２タイプシグナリングを受信した後、前記第１通信ノードは第３タイプシグナリングを前記第２通信ノードに対して送信し、前記第３タイプシグナリングは前記第１通信ノードのユニークＩＤを含む
ことを特徴とする請求項１３記載の方法。
【請求項４３】
前記第３タイプシグナリングを送信した後、前記方法はさらに、
前記第１通信ノードは前記第２通信ノードから第４タイプシグナリングを受信することを試み、前記第４タイプシグナリングは前記第１通信ノードのユニークＩＤを含み、あるいは前記第４タイプシグナリングは、前記第４タイプシグナリングが受信成功できるとともに前記第１通信ノードのユニークＩＤにしたがってデコードできるケースに基づき、前記第１通信ノードと前記第２通信ノードのビームリンク確立を表す
ことを特徴とする請求項４２記載の方法。
【請求項４４】
第２通信ノードに対して適用する、ビームを復元する処理方法であって、
第１タイプシグナリングを受信するステップであって、前記第１タイプシグナリングは、ビーム関連パラメータセット内のＫ個の要素が閾値をトリガするとき、第１通信ノードによって生成される、ステップ、
前記第１通信ノードから前記第２通信ノードに対するビームリンクが中断したとき、前記Ｋ個の要素を用いてビームリンク復元を実行するステップ、
を有し、
前記ビーム関連パラメータセットはＱ個の要素を含み、ＱとＫはともに正整数であり、ＫはＱ以下である
ことを特徴とする方法。
【請求項４５】
前記第１タイプシグナリングは、
ビームレポートを動的に開始するように構成する、
スケジューリングリソースを申請する、
ビームリンク復元を開始する、
ビームリンク確立を開始する、
のうち少なくともいずれかを示すように構成されている
ことを特徴とする請求項４４記載の方法。
【請求項４６】
第１通信ノードに対して適用される、ビームを復元する処理装置であって、
ビーム関連パラメータセット内のＫ個の要素が閾値をトリガするとき、第１タイプシグナリングを生成する、生成モジュール、
前記第１タイプシグナリングを第２通信ノードに対して送信する送信モジュール、
を備え、
前記ビーム関連パラメータセットはＱ個の要素を含み、ＱとＫは正整数であり、ＫはＱ以下である
ことを特徴とする装置。
【請求項４７】
前記第１タイプシグナリングは、１つのビームレポート情報またはそのグループ、またはスケジューリングリクエストのうち少なくともいずれかを含み、
前記ビームレポート情報は、前記第１通信ノードまたは前記第２通信ノードが送信する情報のうち、
基準信号ポートインデックス、基準信号リソースインデックス、基準信号リソースセットインデックス、基準信号リソース割当インデックス、検索空間セット内の要素に対応するインデックス、合意ビームセット内の要素に対応するインデックス、
のなかの少なくともいずれかによって表される
ことを特徴とする請求項４６記載の装置。
【請求項４８】
前記第１タイプシグナリングは、
ビームレポートを動的に開始する、
スケジューリングリソースを申請する、
ビームリンク復元を開始する、
ビームリンク確立を開始する、
のうち少なくともいずれかのために用いられる
ことを特徴とする請求項４６記載の装置。
【請求項４９】
第２通信ノードに対して適用する、ビームを復元する処理装置であって、
第１タイプシグナリングを受信する受信モジュールであって、前記第１タイプシグナリングは、ビーム関連パラメータセット内のＫ個の要素が閾値をトリガするとき、第１通信ノードによって生成される、受信モジュール、
前記第１通信ノードから前記第２通信ノードに対するビームリンクが中断したとき、前記Ｋ個の要素を用いてビームリンク復元を実行する処理モジュール、
を備え、
前記ビーム関連パラメータセットはＱ個の要素を含み、ＱとＫはともに正整数であり、ＫはＱ以下である
ことを特徴とする装置。
【請求項５０】
前記第１タイプシグナリングは、
ビームレポートを動的に開始するように構成する、
スケジューリングリソースを申請する、
ビームリンク復元を開始する、
ビームリンク確立を開始する、
のうち少なくともいずれのために用いられる
ことを特徴とする請求項４９記載の装置。
【発明の詳細な説明】
【技術分野】
【０００１】
本開示は、通信分野に関する。具体的には、ビームを復元する処理方法および装置に関する。
【背景技術】
【０００２】
関連分野における超広帯域高周波数バンド（すなわちミリ波通信）は、将来のモバイル通信の重要な開発方向となっており、世界の学術および産業の関心をひいている。具体的には、混雑しているスペクトルリソースと物理ネットワークへのアクセスが重くなっているのにともない、ミリ波の利点はますます有用になっている。様々な標準化団体（例：ＩＥＥＥ、３ＧＰＰ）は、対応する標準化作業を始めている。例えば３ＧＰＰ標準化団体において、高周波数バンド通信は、５Ｇ新無線アクセス技術（Ｎｅｗ  ＲＡＴ）の重要な発展ポイントとなる。これは、大帯域幅の利点が大きいことによる。
【０００３】
ただし高周波数バンド通信は、リンク減衰の課題に直面している。これは、伝搬経路の多大なロス、大気吸収がより多いこと（特に酸素）、レインフェードの大きな影響、などを含む。これら課題に直面して、高周波数バンド通信システムは、マルチアンテナアレイとビーム形成技術を介して、信号送信損失に対して高アンテナゲインを用いる場合がある。これは、例えば高周波数バンドの短波長や簡易アンテナ構成などの特性を用いることによるものである。これにより、リンクマージンを保障し、通信安定性を改善する。
【０００４】
アンテナ重みのトレーニングプロセスにおいて（プリコーディングビームとして知られている）、高周波数バンド送信端はトレーニングパイロットを送信し、受信端はチャネルを受信してチャネル推定を実行する。次に高周波数バンド受信端は、チャネル状態情報をトレーニング送信端に対してフィードバックする必要があり、これにより送受信端は、選択可能送受信端アンテナ重みペアからの多重データ送信において必要となる送受信端アンテナ重みペアの複数のグループを発見する。これによりスペクトル周波数全体を改善することができる。
【０００５】
ミリ波通信システムにおいて、方向ビーム通信は、現リンクゲインを取得する際に空間伝搬における信号ダイバーシティが減少し、移動ユーザとブロックチャネルの影響に直面する。これは方向化通信の安定性を損ねる。具体的には、ＵＥが高速移動するシーンにおいて、または非連続受信（ＤＲＸ）において、再通信時の無線通信の信頼性は保障できない。
【０００６】
上記技術的課題について、ビームリンクエラー後のビームリンク復元手順およびビームリンク復元を実現する方法は、関連分野において提供されていない。
【０００７】
関連分野において存在する上記課題について、効果的な解決手段は現在発見されていない。
【発明の概要】
【発明が解決しようとする課題】
【０００８】
本開示の実施形態は、ビームを復元する処理方法および装置を提供して、リンクエラー後にリンクを復元できないという技術的課題、および、ビームとチャネルの状態情報レポートやビームとチャネルの状態レポートリクエストがミリ波通信システムにおいて動的に開始されないという技術的課題を、少なくとも解決する。
【課題を解決するための手段】
【０００９】
本開示の実施形態は、ビームを復元する処理方法を提供する。前記方法は：ビーム関連パラメータセット内のＫ個の要素が閾値をトリガするとき、第１タイプシグナリングを生成するステップ；前記第１タイプシグナリングを第２通信ノードに対して送信するステップ；を有し、前記ビーム関連パラメータセットはＱ個の要素を含み、ＱとＫは正整数であり、ＫはＱ以下である。
【００１０】
オプションとして、前記第１タイプシグナリングは、１つのビームレポート情報またはそのグループ、またはスケジューリングリクエストのうち少なくともいずれかを含み、前記ビームレポート情報は、前記第１通信ノードまたは前記第２通信ノードが送信する情報のうち：基準信号ポートインデックス、基準信号リソースインデックス、基準信号リソースセットインデックス、基準信号リソース割当インデックス、検索空間セット内の要素に対応するインデックス、合意ビームセット内の要素に対応するインデックス、のなかの少なくともいずれかによって表される。
【００１１】
オプションとして、前記ビームレポート情報は、前記第１タイプシグナリングが占有する時間−周波数リソース位置によって表される。
【００１２】
オプションとして、前記スケジューリングリクエストは、前記第１通信ノードが前記第２通信ノードに対して送信するビームレポートリクエストのシグナリングを含む。
【００１３】
オプションとして、前記方法はさらに：前記第２通信ノードから前記スケジューリングリクエストに対するスケジューリングリクエスト応答を受信するステップ；前記スケジューリングリクエスト応答が割り当てたリソース上でビームレポートを実行するステップ；を有し、前記割り当てたリソースは、アップリンク制御チャネルまたはアップリンクデータチャネルを含み、前記割り当てたリソースがアップリンク制御チャネルである場合、前記ビームレポートはアップリンク制御情報（ＵＣＩ）によって搬送され、前記割り当てたリソースがアップリンクデータチャネルである場合、前記ビームレポートはメディアアクセスコントロール制御エレメント（ＭＡＣ−ＣＥ）または無線リソース制御（ＲＲＣ）シグナリングによって搬送される。
【００１４】
オプションとして、前記ビームレポートは、基準信号タイプ、基準信号リソースセットインデックス、基準信号リソースインデックス、基準信号ポートインデックス、検索空間セット内の要素に対応するインデックス、合意ビームセット内の要素に対応するインデックス、ビームグループインデックス、受信ビームグループインデックス、アンテナグループインデックス、のうち少なくともいずれかの情報を含む。
【００１５】
オプションとして、基準信号リソース割当インデックスの関係は、リソース割当インデックスによって疑似同位置（ＱＣＬ）仮定を充足することを表す。
【００１６】
オプションとして、第２通信ノードに対して前記第１タイプシグナリングを送信する前において、前記方法はさらに、前記第１タイプシグナリングを搬送することができるとともに、前記第２通信ノードの構成によって示される、チャネルセットを受信するステップを有し、記チャネルセットは：専用チャネル、物理ランダムアクセスチャネル（ＰＲＡＣＨ）、構成済許可チャネル、またはスケジューリングリクエストリソース、のうち１以上の組み合わせを含み、前記専用チャネルは、前記第１タイプシグナリングを搬送するものであり、前記ＰＲＡＣＨチャネルおよび前記構成済許可チャネルと同じ時間ドメインリソースまたは異なる時間ドメインリソースを占有するが、前記ＰＲＡＣＨチャネルおよび前記構成済許可チャネルに対して直交し；前記スケジューリングリクエストリソースは、前記第２通信ノード専用かつ前記第１通信ノードが前記第２通信ノードに対して割り当てたスケジューリングリクエストリソースを表し、各Ｄ個のサブフレームは１回現れ、Ｄは１以上の整数である。
【００１７】
オプションとして、前記第１通信ノードは、前記チャネルセットからサブセットを選択して、前記第１タイプシグナリングを搬送および送信する。
【００１８】
オプションとして、複数の専用チャネルは、専用チャネルセットを構成する。
【００１９】
オプションとして、前記第１タイプシグナリングは、前記専用チャネルセット内の前記専用チャネルにおいて、ビームスキャン、測定、および決定を実行するために、前記第１通信ノードから前記第２通信ノードに対して繰り返し送信される。
【００２０】
オプションとして、前記ＰＲＡＣＨの構成シグナリングは、結合態様において、前記専用チャネルセットの構造を示す。
【００２１】
オプションとして、前記第１タイプシグナリングを前記第２通信ノードに対して送信した後において、前記方法はさらに：前記ビームレポート情報において示されるビームを用いて、前記第２通信ノードが送信した第２タイプシグナリングを受信するステップを有し、前記第２タイプシグナリングは、前記第１通信ノードの前記第１タイプシグナリングを前記第２通信ノードが確認したことを識別するように構成されている。
【００２２】
オプションとして、前記第２タイプシグナリングは、１つのビーム通知情報またはそのグループを含み、前記ビーム通知情報は、前記第１通信ノードまたは前記第２通信ノードが送信する、基準信号ポートインデックス、基準信号リソースインデックス、基準信号リソースセットインデックス、基準信号リソース割当インデックス、検索空間セット内の要素に対応するインデックス、合意ビームセット内の要素に対応するインデックス、のうち少なくともいずれかの情報によって表される。
【００２３】
オプションとして、前記ビーム通知情報は、前記第２タイプシグナリングが占有する時間−周波数リソース位置によって表される。
【００２４】
オプションとして、前記第１通信ノードのアップリンクとダウンリンクとの間のビーム対応関係が条件を充足するとき、前記第１タイプシグナリングは前記ビームレポート情報を含まない。
【００２５】
オプションとして、前記第１タイプシグナリングは、ビームレポートを動的に開始する、スケジューリングリソースを申請する、ビームリンク復元を開始する、ビームリンク確立を開始する、のうち少なくともいずれかのために用いられる。
【００２６】
オプションとして、前記ビーム関連パラメータセットは：Ｎ個の第１タイプビームリンクの品質、Ｎ個の第１タイプビームリンクの品質と、Ｋ個の第２タイプビームリンクの品質合計との間の差分または比率、時間−周波数チャネル応答または周波数−時間チャネル応答の相関と、Ｎ個の第１タイプビームリンクとＫ個の第２タイプビームリンクの空間ドメイン相関、Ｎ個の第１タイプビームリンクのアジマス角と、Ｋ個の第２タイプビームリンクのアジマス角との間の差分または比率、Ｋ個の第２タイプビームリンクの品質、第２タイプビームリンク全ての品質、アップリンク制御チャネルまたはデータチャネルを最後に受信成功してからの蓄積時間、受信失敗の蓄積回数、ビームグループの調整情報、前記ビーム関連パラメータ内に含まれるパラメータの重み値または重み付き相関値、のうちいずれかを含む。前記第２タイプビームリンクは、Ｓ個の構成済ビームリンクセットまたはＳ個の構成済ビームリンクセットのなかのＳ１個のアクティブ化セットに関連しており、前記第１タイプビームリンクは、Ｓ個の構成済ビームリンクセットまたはＳ個の構成済ビームリンクセットのなかのＳ１個のアクティブ化セットからではないものを表し、前記構成済ビームリンクは、前記第１通信ノードが前記第２通信ノードに対してレポートしたビームリンク、または、前記第２通信ノードが前記第１通信ノードに対して通知したビームリンクであり、Ｎ、Ｋ、Ｓ、Ｓ１は１以上の整数であり、Ｓ１は以下である。
【００２７】
オプションとして、前記構成済ビームリンクは、前記第２通信ノードが前記第１通信ノードに対して通知したビームリンク、または、前記第１通信ノードが前記第２通信ノードに対してレポートしたビームリンク、を含む。
【００２８】
オプションとして、ビームリンクは、送信ビーム、受信ビーム、送受信ビームペア、ビームグループ、受信ビームグループ、送信ビームグループ、受信モード、アンテナ組み合わせ、制御チャネル、のうちいずれかに対応する。
【００２９】
オプションとして、ビームリンクの品質は、ブロックエラー率（ＢＬＥＲ）、受信信号パワー、ＲＳＲＰ、ＲＳＲＱ、チャネル容量、受信端における信号対干渉プラスノイズ比、受信端における信号対ノイズ比、のうちいずれかを含む。
【００３０】
オプションとして、前記第１タイプシグナリングは、構成済または事前定義シグナリングセットの要素である。
【００３１】
オプションとして、前記シグナリングセットの要素は、シーケンス、またはシーケンスとそのシーケンスが占有する周波数ドメインリソース、またはシーケンスとそのシーケンスが用いる時間ドメインリソース、またはシーケンス番号のグループとそのグループが占有する時間−周波数リソース、またはシーケンス番号のグループとそのグループが占有する時間−周波数リソース、特定の関数に基づくホッピング、によって構成されている。
【００３２】
オプションとして、前記シグナリングセットの要素は、前記第１通信ノード専用であるか、またはＢ個の前記第１通信ノードが共有し、Ｂは１以上の整数である。
【００３３】
オプションとして、前記シグナリングセットは：前記第１通信ノードが構成する、前記第２通信ノードが構成し、構成リクエストは前記第１通信ノードが送信する、前記第２通信ノードが構成する、前記第１通信ノードが構成し、前記第２通信ノードが有効である旨を選択する、前記第２通信ノードが構成し、前記第１通信ノードが有効である旨を選択する、のうちいずれかによって構成されている。
【００３４】
オプションとして、前記第１通信ノードが前記構成リクエストを構成または送信する条件は：前記条件は、非連続受信（ＤＲＸ）モードに入ることである、Ｋ個の前記第２タイプビームリンクの品質が第１閾値未満である、前記第２タイプビームリンク全ての品質が第２閾値未満である、前記制御チャネル／データチャネルを最後に受信成功してからの蓄積時間が第３閾値よりも大きい、受信失敗の蓄積回数が第４閾値よりも大きい、前記パラメータの重み値または重み付き相関値が第５閾値の要件を充足する、のうち少なくともいずれかを含む。
【００３５】
オプションとして、前記第１タイプシグナリングのセットの要素は：前記第１通信ノードのＩＤ、前記第１タイプシグナリングが送信するＯ個の搬送時間−周波数リソース、前記第１タイプシグナリングが送信した時間−周波数リソースの位置と、前記位置が示す基準信号との間の対応関係、前記第１タイプシグナリング送信後において、前記第２通信ノードが前記第１通信ノードに対して制御シグナリングを送信する送信モード、前記第１タイプシグナリング送信後において、前記第２通信ノードが前記第１通信ノードに対して制御シグナリングを送信することにより占有する時間−周波数リソースまたは時間−周波数リソースの範囲、前記第１タイプシグナリング送信後において、前記第２通信ノードが前記第１通信ノードに対して制御シグナリングを送信するブラインドテスト条件、前記第１通信ノードが前記第２通信ノードに対して送信する基準信号の送信構成、前記第１通信ノードが前記第２通信ノードに対して送信する基準信号の測定構成、前記第１通信ノードが前記第２通信ノードに対して送信する基準信号のレポート構成、前記第２通信ノードが前記第１通信ノードに対して送信する基準信号の送信構成、前記第２通信ノードが前記第１通信ノードに対して送信する基準信号の測定構成、前記第２通信ノードが前記第２通信ノードに対して送信する基準信号のレポート構成、のうち少なくともいずれかの構成パラメータに関連しており、Ｏは１以上の整数である。
【００３６】
オプションとして、前記シグナリングセットの要素はさらに、ＰＲＡＣＨにアクセスするときの専用競合なしシーケンスを含む。
【００３７】
オプションとして、前記基準信号の送信構成は：基準信号タイプ、アンテナポート、基準信号リソース、前記基準信号リソースが占有する時間−周波数リソースまたは時間−周波数リソースの範囲、のうち少なくともいずれかのパラメータを含む。
【００３８】
オプションとして、前記第１タイプシグナリングが示すパラメータのうち一部または全部は、一括符号化および／または一括識別される。
【００３９】
オプションとして、前記第１タイプシグナリングはさらに、バックアップビーム測定シグナリングを含み、前記バックアップビーム測定シグナリングは、前記第１通信ノードのビームセット内の事前構成要素を前記第２通信ノードが用いて基準信号、制御チャネル、またはデータチャネルを送信することを表す。
【００４０】
オプションとして、前記第１通信ノードのＩＤは：前記第１通信ノード固有のＩＤシンボル、複数の前記第１通信ノードを構成する共有ＩＤシンボル、競合によって得たＩＤ番号、のうちいずれかを含む。
【００４１】
オプションとして、前記シグナリングセットが構成済シグナリングセットである場合、前記構成済シグナリングセットは、その後に前記構成済シグナリングセットが無効となる有効時間ウインドウを有する。
【００４２】
オプションとして、前記シグナリングセットまたは前記シグナリングセット内のパラメータのうち少なくとも１つのシグナリングと対向する少なくとも１つの有効時間ウインドウが存在する。
【００４３】
オプションとして、前記有効時間ウインドウを構成するステップは：現在構成から開始して次の再構成まで無効とする；現在構成から開始してＴ時間単位後に無効となる；現在構成から開始し、第１タイプシグナリングの送信のＹ１番目時間後、または第１タイプシグナリングの受信成功のＹ２番目時間後、または第２タイプシグナリングの送信のＹ３番目時間後、または第２タイプシグナリングの受信成功のＹ４番目時間後、に無効となる；トリガリング閾値が条件を充足したときＴ時間単位後に無効となる；第１通信ノードが第２通信ノードに対してＡＣＫ／ＮＡＣＫを最後にフィードバックした後のＴ時間単位後に無効となる；第２通信ノードがフィードバックしたＡＣＫ／ＮＡＣＫを第１通信ノードが最後に受信した後のＴ時間単位後に無効になる；第２通信ノードが第１通信ノードに対してＡＣＫ／ＮＡＣＫを最後に送信した後のＴ時間単位後に無効になる；第２通信ノードが第１通信ノードに対して最後にＡＣＫ／ＮＡＣＫを送信した後のＴ時間単位後に無効になる。Ｔ、Ｙ１、Ｙ２、Ｙ３、Ｙ４は、１以上の整数であり、Ｔ、Ｙ１、Ｙ２、Ｙ３、Ｙ４は、第１通信ノードまたは第２通信ノードが事前定義しまたは構成する、のうちいずれかまたはその組み合わせを含む。
【００４４】
オプションとして、前記第１通信ノードが前記第２通信ノードに対して前記第１タイプシグナリングを複数回送信した後、または、蓄積待機時間もしくは前記複数回と前記蓄積待機時間の組み合わせによる時間が第６閾値を超えた場合、前記第１通信ノードの物理層は高次層に対してリンクエラーリクエストを送信する。
【００４５】
オプションとして、前記第１タイプシグナリングを前記第２通信ノードに対して送信する送信パワーは：ランダムアクセスチャネルＰＲＡＣＨのパワー送信ルールを準拠する、フルパワーで送信する、これらパワーの重み付き値を用いて送信する、のうちいずれかを充足する。
【００４６】
オプションとして、前記第１タイプシグナリングを送信した後、前記方法はさらに：
前記第２通信ノードが前記第１通信ノードに対して送信する基準信号、ダウンリンク制御チャネル、またはダウンリンクデータチャネル、または、第１タイプ情報通知ビームの基準信号のうち少なくともいずれかは、疑似同一（ＱＣＬ）仮定を充足する。
【００４７】
オプションとして、前記第１タイプシグナリングを送信した後、前記方法はさらに、
前記第２通信ノードが前記第１通信ノードに対して送信する基準信号、アップリンク制御チャネル、またはアップリンクデータチャネル、または、第２タイプ情報通知ビームの基準信号のうち少なくともいずれかは、ＱＣＬ仮定を充足する。
【００４８】
オプションとして、前記第２タイプシグナリングは、前記第１通信ノードのＩＤ情報を含む。
【００４９】
オプションとして、前記第２タイプシグナリングはさらに：前記第１通信ノードが前記第２通信ノードに対して送信する基準信号の送信構成、前記第１通信ノードが前記第２通信ノードに対して送信する基準信号の測定構成、前記第１通信ノードが前記第２通信ノードに対して送信する基準信号のレポート構成、前記第２通信ノードが前記第１通信ノードに対して送信する基準信号の送信構成、前記第２通信ノードが前記第１通信ノードに対して送信する基準信号の測定構成、前記第２通信ノードが前記第１通信ノードに対して送信する基準信号のレポート構成、のうち少なくともいずれかの情報を含む。
【００５０】
オプションとして、前記第１タイプシグナリングが前記第１通信ノードのＩＤを一意に示すことができない場合、前記第２タイプシグナリングを受信した後、前記第１通信ノードは第３タイプシグナリングを前記第２通信ノードに対して送信し、前記第３タイプシグナリングは前記第１通信ノードのユニークＩＤを含む。
【００５１】
オプションとして、前記第３タイプシグナリングを送信した後、前記方法はさらに：前記第１通信ノードは前記第２通信ノードから第４タイプシグナリングを受信することを試み、前記第４タイプシグナリングは前記第１通信ノードのユニークＩＤを含み、あるいは前記第４タイプシグナリングは、前記第４タイプシグナリングが受信成功できるとともに前記第１通信ノードのユニークＩＤにしたがってデコードできるケースに基づき、前記第１通信ノードと前記第２通信ノードのビームリンク確立を表す。
【００５２】
本開示の実施形態は、第２通信ノードに対して適用する、ビームを復元する処理方法を提供する。前記方法は：第１タイプシグナリングを受信するステップであって、前記第１タイプシグナリングは、ビーム関連パラメータセット内のＫ個の要素が閾値をトリガするとき、第１通信ノードによって生成される、ステップ；前記第１通信ノードから前記第２通信ノードに対するビームリンクが中断したとき、前記Ｋ個の要素を用いてビームリンク復元を実行するステップ；を有し、前記ビーム関連パラメータセットはＱ個の要素を含み、ＱとＫはともに正整数であり、ＫはＱ以下である。
【００５３】
オプションとして、前記第１タイプシグナリングは、ビームレポートを動的に開始するように構成する、スケジューリングリソースを申請する、ビームリンク復元を開始する、ビームリンク確立を開始する、のうち少なくともいずれかを示すように構成されている。
【００５４】
本開示の実施形態は、第１通信ノードに対して適用される、ビームを復元する処理装置を提供する。前記装置は：ビーム関連パラメータセット内のＫ個の要素が閾値をトリガするとき、第１タイプシグナリングを生成する、生成モジュール；前記第１タイプシグナリングを第２通信ノードに対して送信する送信モジュール；を備え、前記ビーム関連パラメータセットはＱ個の要素を含み、ＱとＫは正整数であり、ＫはＱ以下である。
【００５５】
オプションとして、前記第１タイプシグナリングは、１つのビームレポート情報またはそのグループ、またはスケジューリングリクエストのうち少なくともいずれかを含み、前記ビームレポート情報は、前記第１通信ノードまたは前記第２通信ノードが送信する情報のうち：基準信号ポートインデックス、基準信号リソースインデックス、基準信号リソースセットインデックス、基準信号リソース割当インデックス、検索空間セット内の要素に対応するインデックス、合意ビームセット内の要素に対応するインデックス、のなかの少なくともいずれかによって表される。
【００５６】
オプションとして、前記第１タイプシグナリングは、ビームレポートを動的に開始する、スケジューリングリソースを申請する、ビームリンク復元を開始する、ビームリンク確立を開始する、のうち少なくともいずれかのために用いられる。
【００５７】
本開示の実施形態は、第２通信ノードに対して適用する、ビームを復元する処理装を提供する。前記装置は：第１タイプシグナリングを受信する受信モジュールであって、前記第１タイプシグナリングは、ビーム関連パラメータセット内のＫ個の要素が閾値をトリガするとき、第１通信ノードによって生成される、受信モジュール；前記第１通信ノードから前記第２通信ノードに対するビームリンクが中断したとき、前記Ｋ個の要素を用いてビームリンク復元を実行する処理モジュール；を備え、前記ビーム関連パラメータセットはＱ個の要素を含み、ＱとＫはともに正整数であり、ＫはＱ以下である。
【００５８】
オプションとして、前記第１タイプシグナリングは、ビームレポートを動的に開始するように構成する、スケジューリングリソースを申請する、ビームリンク復元を開始する、ビームリンク確立を開始する、のうち少なくともいずれのために用いられる。
【００５９】
本開示の実施形態は、記憶媒体を提供する。前記記憶媒体は、以下のステップを実施するプログラムコードを格納するように構成されている：ビーム関連パラメータセット内のＫ個の要素が閾値をトリガするとき、第１タイプシグナリングを生成するステップ；前記第１タイプシグナリングを第２通信ノードに対して送信するステップ。
【００６０】
本開示によれば、ビーム関連パラメータセット内のＫ個の要素が閾値をトリガするとき、第１タイプシグナリングが生成され；前記第１タイプシグナリングは第２通信ノードに対して送信され；前記ビーム関連パラメータセットはＱ個の要素を含み、ＱとＫは正整数であり、ＫはＱ以下である。ミリ波通信システムにおいてビームリンクエラー後にビームを復元できないこと、および、ビームとチャネル状態情報レポートまたはビームとチャネル状態情報レポートリクエストを動的に開始できないこと、という技術的課題が解決される。
【００６１】
添付する図面は、本開示のさらなる理解を提供し、本願の一部を形成する。実施例とその説明を用いて、本開示の範囲を不要に限定することなく、本開示を説明する。
【図面の簡単な説明】
【００６２】
【図１】本開示の実施形態にしたがってビームを復元する処理方法のフローチャートである。
【００６３】
【図２】本開示の実施形態にしたがってビームを復元する別の処理方法のフローチャートである。
【００６４】
【図３】本開示の実施形態に係るビームを復元する処理装置の構造ブロック図である。
【００６５】
【図４】本開示の実施形態に係るビームを復元する別の処理装置の構造ブロック図である。
【００６６】
【図５】本開示の実施形態に係るハイブリッドプリコーディング（ハイブリッドアナログ−デジタルビーム形成）指向トランシーバの概略構造図である。
【００６７】
【図６】本開示の実施形態に係るＣＳＩ−ＲＳ基準信号指向ビーム復元構成およびアクティブ化プロセスである。
【００６８】
【図７ａ】本開示の実施形態に係る専用ビーム復元チャネル（以下、専用チャネルと呼ぶ）の概略構造図である。
【図７ｂ】本開示の実施形態に係る専用ビーム復元チャネル（以下、専用チャネルと呼ぶ）の概略構造図である。
【００６９】
【図８】本開示の実施形態に係るＳＳブロック指向ビーム復元プロセスである。
【００７０】
【図９】本開示の実施形態に係る第２タイプシグナリングのビーム復元プロセスである。
【００７１】
【図１０ａ】本開示の実施形態に係るシグナリング干渉モードの概略図である。
【図１０ｂ】本開示の実施形態に係るシグナリング干渉モードの概略図である。
【００７２】
【図１１】本開示の実施形態に係る第１タイプシグナリングセットとＵＥ  ＩＤとの間の関係の概略図である。
【００７３】
【図１２】本開示の実施形態に係るビーム復元エラー後に用いるＰＲＡＣＨランダムアクセスの概略図である。
【００７４】
【図１３】本開示の実施形態に係るスケジューリングリクエストベースビームレポートの実施形態を示す。
【発明を実施するための形態】
【００７５】
実施形態および添付する図面とともに、本開示を以下説明する。本願の実施形態とその特徴は、競合することなく互いに組み合わせできることを付言しておく。
【００７６】
本開示の明細書、特許請求範囲、および図面における「第１」「第２」などの語句は、特定の順序やシーケンスを示すことなく、同様のオブジェクトを区別するために用いる。
【００７７】
＜実施形態１＞
【００７８】
本実施形態は、第１通信ノードに対して適用される、ビームを復元する処理方法を提供する。図１は、本開示の実施形態に係るビームを復元する処理方法のフローチャートである。図１に示すように、プロセスは以下のステップを含む：ステップＳ１０２：ビーム関連パラメータセットにおけるＫ個の要素が１以上の閾値をトリガするとき、第１タイプシグナリングを生成する。各閾値は同じでもよいし異なってもよい；ステップＳ１０４：第１タイプシグナリングを第２通信ノードに対して送信する。ビーム関連パラメータセットはＱ個の要素を含み、ＱとＫはともに正整数であり、ＫはＱ以下である。
【００７９】
上記ステップを介して、ビーム関連パラメータセットのＫ個の要素が１以上の閾値をトリガするとき、第１タイプシグナリングが生成される；第１タイプシグナリングを第２通信ノードに対して送信する。ビーム関連パラメータセットはＱ個の要素を含み、ＱとＫはともに正整数であり、ＫはＱ以下である。リンクエラー後にリンクを復元できないという技術的課題、および、ビームとチャネルの状態情報レポートやビームとチャネルの状態レポートリクエストがミリ波通信システムにおいて動的に開始されないという技術的課題が、解決される。具体的には、ビームリンク品質が減少しまたは新たな望ましいリンクが発見されたときである。
【００８０】
本実施形態は、第１通信ノードに対して適用される、ビームを復元する処理方法を提供する。図２は、本開示の実施形態に係るビームを復元する別の処理方法のフローチャートである。図２に示すように、プロセスは以下のステップを有する：ステップＳ２０２：第１タイプシグナリングを受信する。第１タイプシグナリングは、ビーム関連パラメータセットにおけるＫ個の要素が１以上の閾値をトリガするとき、生成される。ステップＳ２０４：第１通信ノードから第２通信ノードへのビームリンクが中断されたとき、Ｋ個の要素を用いて、ビームリンク復元を実行する。ビーム関連パラメータセットはＱ個の要素を含み、ＱとＫはともに正整数であり、ＫはＱ以下である。
【００８１】
オプションとして、上記ステップの実行主体について、第１通信ノードは端末であり、第２通信ノードは例えばベースステーションだが、これに限るものではない。
【００８２】
オプションとして、第１タイプシグナリングは、以下のうち少なくとも１つを含む：ビームレポート情報の１以上のグループ、またはスケジューリングリクエスト；ビームレポート情報は、第１通信ノードまたは第２通信ノードが送信する以下の情報のうち少なくとも１つによって表されている：基準信号ポートインデックス、基準信号リソースインデックス、基準信号リソースセットインデックス、基準信号リソース割当インデックス、検索空間セットにおける要素に対応するインデックス、合意ビームセットにおける要素に対応するインデックス。
【００８３】
オプションとして、ビームレポート情報は、第１タイプシグナリングが占有する時間−周波数リソース位置によって表される。
【００８４】
オプションとして、スケジューリングリクエストは、第１通信ノードが第２通信ノードに対して送信するビームレポートリクエストのシグナリングを含む。
【００８５】
本実施形態のオプション実装において、以下の手段を含む：Ｓ１１、スケジューリングリクエストに対する第２通信ノードからのスケジューリングリクエスト応答を受信する；Ｓ１２、スケジューリングリクエスト応答が割り当てたリソースに対してビームレポートを実行する。割り当てるリソースは以下を含む：アップリンク制御チャネル、またはアップリングデータチャネル；割り当てたリソースがアップリンク制御チャネルである場合、ビームレポートはＵＣＩによって搬送される；割り当てたリソースがアップリンクデータチャネルである場合、ビームレポートはＭＡＣ−ＣＥまたはＲＲＣシグナリングによって搬送される。オプションとしてビームレポートは、以下のうち少なくとも１つを含む：基準信号タイプ、基準信号リソースセットインデックス、基準信号リソースインデックス、基準信号ポートインデックス、検索空間セットにおける要素に対応するインデックス、合意ビームセットにおける要素に対応するインデックス、ビームグループインデックス、受信ビームグループインデックス、アンテナグループインデックス。
【００８６】
オプションとして、基準信号リソース割当インデックスの関係は、そのリソース割当インデックスでＱＣＬ仮定を充足することを意味する。
【００８７】
本実施形態のオプション実装において、第２通信ノードに対して第１タイプシグナリングを送信する前に、本方法はさらに以下を含む：Ｓ２１、第１タイプシグナリングを搬送でき、第２通信ノードの構成によって示される、チャネルセットを受信する。チャネルセットは以下の１以上の組み合わせを含む：専用チャネル、ＰＲＡＣＨ、構成許可チャネル、またはスケジューリングリクエストリソース；専用チャネルは、第１タイプシグナリングを搬送するためのものであり、ＰＲＡＣＨチャネルおよび構成許可チャネルと同じ時間ドメインリソースまたは異なる時間ドメインリソースを占有するが、ＰＲＡＣＨチャネルおよび構成許可チャネルに対して直交している；スケジューリングリクエストリソースは、第２通信ノード専用のスケジューリングリクエストリソースであり、第１通信ノードが第２通信ノードに対して割り当てたものである；Ｄ個のサブフレームは１回現れ、Ｄは１以上の整数である。
【００８８】
オプションとして、第１通信ノードは、チャネルセットからサブセットを選択して、第１タイプシグナリングを搬送および送信する。
【００８９】
本実施形態において、複数の専用チャネルは、専用チャネルセットを形成する。
【００９０】
オプションとして、第１タイプシグナリングは、専用チャネルセットのなかの１つにおいて、ビームスキャン、測定、および決定を実行するために、第１通信ノードから第２通信ノードに対して繰り返し送信される。
【００９１】
オプションとして、ＰＲＡＣＨの構成シグナリングは、結合態様において、専用チャネルセットの構造を示す。
【００９２】
本実施形態のオプション実装において、第２通信ノードに対して第１タイプシグナリングを送信した後、本方法はさらに以下を含む：Ｓ３１、ビームレポート情報において示されたビームを用いて、第２通信ノードが送信した第２タイプシグナリングを受信する。第２タイプシグナリングは、第２通信ノードが第１通信ノードの第１タイプシグナリングを確認したことを識別するように構成されている。
【００９３】
オプションとして、第２タイプシグナリングは、ビームレポート情報またはそのグループを含み、ビーム通知情報は、第１通信ノードまたは第２通信ノードが送信する以下のうち少なくとも１つによって表される：基準信号ポートインデックス、基準信号リソースインデックス、基準信号リソースセットインデックス、基準信号リソース割当インデックス、検索空間セットの要素に対応するインデックス、合意ビームセットの要素に対応するインデックス。
【００９４】
オプションとして、ビームレポート情報は、第２タイプシグナリングが占有する時間−周波数リソース位置によって表される。
【００９５】
オプションとして、第１通信ノードのアップリンクとダウンリンクとの間のビーム対応関係が条件を満たすとき、第１タイプシグナリングはビームレポート情報を含まない。
【００９６】
オプションとして、第１タイプシグナリングは、以下のうち少なくとも１つのために用いられる：ビームレポートを動的に開始する；スケジューリングリソースを申請する；ビームリンク復元を開始する；ビームリンク確立を開始する。第１タイプシグナリングは、第通信ノードが、リンク復元、および、ビームとチャネル状態情報レポートまたはビームとチャネル状態徐放レポートリクエストを実施するために用いられる。
【００９７】
オプションとして、ビーム関連パラメータセットは、以下のうちいずれかを含む：Ｎ個の第１タイプビームリンクの品質；Ｎ個の第１タイプビームリンクの品質とＫ個の第２タイプビームリンクの品質合計との間の差分または比率；時間−周波数チャネル応答または周波数ドメインチャネル応答の相関、および、Ｎ個の第１タイプビームリンクとＫ個の第２タイプビームリンクの空間ドメイン相関；Ｎ個の第１タイプビームリンクのアジマス角とＫ個の第２タイプビームリンクのアジマス角の差分または比率；Ｋ個の第２タイプビームリンクの品質；第２タイプビームリンク全ての品質；アップリンク制御チャネルまたはデータチャネルを最後に受信成功してからの蓄積時間；受信失敗の蓄積個数；ビームグループの調整情報；ビーム関連パラメータセット内に含まれるパラメータの重み値または重み相関値。第２タイプビームリンクは、Ｓ個の構成ビームリンクセット内のＳ個の構成ビームリンクセットまたはＳ１個のアクティブ化セットと関連しており；第１タイプビームリンクは、Ｓ個の構成ビームリンクセット内のＳ個の構成ビームリンクセットまたはＳ１個のアクティブ化セットからではないものを参照しており；構成ビームリンクは、第１通信ノードが第２通信ノードに対してレポートしたビームリンク、または第２通信ノードが第１通信ノードに対して通知したビームリンクであり；Ｎ、Ｋ、Ｓ、Ｓ１個のアクティブ化セット１は１以上の整数であり、Ｓ１はＳ以下である。
【００９８】
例として、第１タイプビームリンクの品質は未識別ビームリンクの品質を表し、第２タイプビームリンクの品質は識別済ビームリンクの品質を表す。
【００９９】
オプションとして、構成ビームリンクは以下を含む：第２通信ノードが第１通信ノードに対して通知したビームリンク、または第１通信ノードが第２通信ノードに対してレポートしたビームリンク。
【０１００】
オプションとして、ビームリンクは以下のうちいずれかに対応する：送信ビーム、受信ビーム、送受信ビームペア、ビームグループ、受信ビームグループ、送信ビームグループ、受信モード、アンテナ組み合わせ、制御チャネル。
【０１０１】
オプションとして、ビームリンクの品質は以下のいずれかを含む：ブロックエラー率（ＢＬＥＲ）、受信信号パワー、基準信号受信パワー（ＲＳＲＰ）、基準信号受信品質（ＲＳＲＱ）、チャネル容量、受信端の信号対干渉プラスノイズ比、受信端の信号対ノイズ比。
【０１０２】
オプションとして、第１タイプシグナリングは、構成シグナリングセットまたは規定シグナリングセットの要素である。
【０１０３】
オプションとして、シグナリングセットの要素は、シーケンス、またはシーケンスとそのシーケンスが占有する周波数ドメインリソース、またはシーケンスとそのシーケンスが用いる時間ドメインリソース、またはシーケンス番号のグループとそのグループが占有する時間−周波数リソース、またはシーケンス番号のグループとそのグループが占有する時間−周波数リソース、特定関数に基づくホッピング、によって構成されている。
【０１０４】
オプションとして、シグナリングセットの要素は、第１通信ノード専用またはＢ個の第１通信ノードが共有し、Ｂは１よりも大きい整数である。
【０１０５】
本実施形態において、シグナリングセットは以下のいずれかによって構成される：第１通信ノードによって構成される；第２通信ノードによって構成され、構成リクエストは第１通信ノードが送信する；第２通信ノードが構成する；第１通信ノードが構成し、第２通信ノードが妥当である旨を選択する；第２通信ノードが構成し、第１通信ノードが妥当である旨を選択する。
【０１０６】
本実施形態において、第１通信ノードが構成リクエストを構成または送信する条件は、以下のうちいずれかを含む：条件はＤＲＸモードに入ること；Ｋ個の第２タイプビームリンクそれぞれの品質が第１閾値よりも劣る；第２タイプビームリンク全ての品質が第２閾値よりも劣る；制御チャネル／データチャネルを最後に受信成功してからの蓄積時間が第３閾値超；受信失敗の蓄積個数が第４閾値超；上記パラメータの一部の重み値または重み相関値が第５閾値の要件を充足する。
【０１０７】
本実施形態において、第１タイプシグナリングセットの要素は、以下のうち少なくともいずれかの構成パラメータに関連する：第１通信ノードのＩＤ；第１タイプシグナリングが送信するＯ個の搬送時間−周波数リソース；第１タイプシグナリングが送信する時間−周波数リソースの位置とその位置が示す基準信号との間の対応関係；第１タイプシグナリング送信後に第２通信ノードが第１通信ノードに対して制御シグナリングを送信する送信モード；第１タイプシグナリング送信後に第２通信ノードが第１通信ノードに対して制御シグナリングを送信することによって占有する時間−周波数リソースまたは時間−周波数リソースの範囲；第１タイプシグナリング送信後に第２通信ノードが第１通信ノードに対して制御シグナリングを送信するブラインドテスト条件；第１通信ノードが第２通信ノードに対して送信する基準信号の送信構成；第１通信ノードが第２通信ノードに対して送信する基準信号の測定構成；第１通信ノードが第２通信ノードに対して送信する基準信号のレポート構成；第２通信ノードが第１通信ノードに対して送信する基準信号の送信構成；第２通信ノードが第１通信ノードに対して送信する基準信号の測定構成；第２通信ノードが第２通信ノードに対して送信する基準信号のレポート構成。Ｏは１以上の整数である。
【０１０８】
オプションとして、シグナリングセットの要素はさらに、ＰＲＡＣＨにアクセスするときの専用競合なしシーケンスを含む。
【０１０９】
オプションとして、基準信号の送信構成は以下のパラメータのうち少なくとも１つを含む：基準信号タイプ、アンテナポート、基準信号リソース、基準信号リソースが占有する時間−周波数リソースまたは時間−周波数リソースの範囲。
【０１１０】
オプションとして、第１タイプシグナリングが示すパラメータの一部または全部は、一括符号化および／または一括識別される。
【０１１１】
オプションとして、第１タイプシグナリングはさらに、バックアップビーム測定シグナリングを含み、バックアップビーム測定シグナリングは、第１通信ノードのビームセット内の構成済要素を第２通信ノードが用いて、基準信号、制御チャネル、またはデータチャネルを送信することである。
【０１１２】
オプションとして、第１通信ノードのＩＤは、以下のいずれかを含む：第１通信ノード専用のＩＤシンボル；複数の第１通信ノードを構成する共有ＩＤシンボル；競合によって得るＩＤ番号。
【０１１３】
オプションとして、シグナリングセットが構成済シグナリングセットである場合、構成済シグナリングセットは、その後に構成済シグナリングセットが無効となる有効時間ウインドウを有する。
【０１１４】
オプションとして、シグナリングセットのうち少なくとも１つまたはシグナリングセット内のパラメータと対向する少なくとも１つの有効時間ウインドウが存在する。
【０１１５】
オプションとして、有効時間ウインドウを構成するステップは、以下のうちいずれか１つまたは組み合わせを含む：現在構成から開始して次の再構成まで無効とする；現在構成から開始してＴ時間単位後に無効となる；現在構成から開始し、第１タイプシグナリングの送信のＹ１番目時間後、または第１タイプシグナリングの受信成功のＹ２番目時間後、または第２タイプシグナリングの送信のＹ３番目時間後、または第２タイプシグナリングの受信成功のＹ４番目時間後、に無効となる；トリガリング閾値が条件を充足したときＴ時間単位後に無効となる；第１通信ノードが第２通信ノードに対してＡＣＫ／ＮＡＣＫを最後にフィードバックした後のＴ時間単位後に無効となる；第２通信ノードがフィードバックしたＡＣＫ／ＮＡＣＫを第１通信ノードが最後に受信した後のＴ時間単位後に無効になる；第２通信ノードが第１通信ノードに対してＡＣＫ／ＮＡＣＫを最後に送信した後のＴ時間単位後に無効になる；第２通信ノードが第１通信ノードに対して最後にＡＣＫ／ＮＡＣＫを送信した後のＴ時間単位後に無効になる。Ｔ、Ｙ１、Ｙ２、Ｙ３、Ｙ４は、１以上の整数であり、Ｔ、Ｙ１、Ｙ２、Ｙ３、Ｙ４は、第１通信ノードまたは第２通信ノードが事前定義しまたは構成する。
【０１１６】
オプションとして、第１通信ノードの物理層は、第１通信ノードが第２通信ノードに対して第１タイプシグナリングを複数回送信した後、蓄積待機時間、または複数回と蓄積待機時間の組み合わせが第６閾値を超えた後、高次層に対してリンクエラーリクエストを送信する。
【０１１７】
オプションとして、第２通信ノードに対して第１タイプシグナリングを送信する送信パワーは、以下のうちいずれかを充足する：ランダムアクセスチャネルＰＲＡＣＨのパワー送信ルールを準拠する；フルパワーを用いて送信する；これらのパワーの重み付け値を用いて送信する。
【０１１８】
オプションとして、第１タイプシグナリングを送信した後、本実施形態の方法はさらに以下を含む：第２通信ノードが第１通信ノードに対して送信する、基準信号、ダウンリンク制御チャネル、またはダウンリンクデータチャネルのうち少なくともいずれか、第１タイプ情報通知ビームの基準信号はデフォルトでＱＣＬ仮定を満たす。
【０１１９】
オプションとして、第２タイプシグナリングを送信した後、本方法はさらに以下を含む：第１通信ノードが第２通信ノードに対して送信する、基準信号、アップリンク制御チャネル、またはアップリンクデータチャネルのうち少なくともいずれか、第２タイプ情報通知ビームの基準信号はデフォルトでＱＣＬ仮定を満たす。
【０１２０】
オプションとして、第２タイプシグナリングは、第１通信ノードのＩＤ情報を含む。
【０１２１】
オプションとして、第２タイプシグナリングはさらに、以下のうち少なくともいずれかの情報を含む：第１通信ノードが第２通信ノードに対して送信する基準信号の送信構成；第１通信ノードが第２通信ノードに対して送信する基準信号の測定構成；第１通信ノードが第２通信ノードに対して送信する基準信号のレポート構成；第２通信ノードが第１通信ノードに対して送信する基準信号の送信構成；第２通信ノードが第１通信ノードに対して送信する基準信号の測定構成；第２通信ノードが第１通信ノードに対して送信する基準信号のレポート構成。
【０１２２】
オプションとして、第１タイプシグナリングが第１通信ノードのＩＤを一意に示すことができない場合、第２タイプシグナリングを受信した後、第１通信ノードは第２通信ノードに対して第３タイプシグナリングを送信する。第３タイプシグナリングは、第１通信ノードのユニークＩＤを含む。
【０１２３】
オプションとして、第３タイプシグナリングを送信した後、本実施形態の方法はさらに以下を含む：第１通信ノードは第２通信ノードから第４タイプシグナリングを受信することを試み、第４タイプシグナリングは第１通信ノードのユニークＩＤを含み、または第４タイプシグナリングは、第４タイプシグナリングが受信成功するとともに第１通信ノードのユニークＩＤにしたがってデコードされたケースに基づき、第１通信ノードと第２通信ノードのビームリンク確立を表す。
【０１２４】
上記実施例の説明を介して、上記実施形態に係る方法はソフトウェアと必要な一般ハードウェアプラットフォームの組み合わせによって実現でき、あるいはハードウェアによって実現できることを、当業者は学習できる。ただし多くの場合において、前者がよりよい実装である。その理解に基づき、本開示の技術的手段または関連技術に対して貢献する部分は、ソフトウェア製品の形態で実施できる。コンピュータソフトウェア製品は、記憶媒体（例：ＲＯＭ／ＲＡＭ、磁気ディスク、光ディスク）に格納される。記憶媒体は、端末デバイス（携帯電話、コンピュータ、サーバ、ネットワークデバイスなど）が本開示の各実施形態の方法を実施できるようにする命令を含む。
【０１２５】
＜実施形態２＞
【０１２６】
本実施形態はさらに、ビームを復元する処理装置を提供する。本装置は、上記実施形態と望ましい実装を実現するように構成されている。説明した内容は繰り返し説明しない。以下において、用語「モジュール」は、規定機能を有するソフトウェアおよび／またはハードウェアの組み合わせを実現するものである。以下の実施形態で説明する装置はソフトウェアで実現することが望ましいが、ハードウェアまたはソフトウェアとハードウェアの組み合わせで実現することも可能である。
【０１２７】
図３は、本開示の実施形態に係るビームを復元する処理装置の構造ブロック図である。図３に示すように、本装置は以下を含む：ビーム関連パラメータセットのＫ個の要素が１以上の閾値をトリガするとき、第１タイプシグナリングを生成するように構成された生成モジュール３０；第２通信ノードに対して第１タイプシグナリングを送信するように構成された送信モジュール３２。ビーム関連パラメータセットはＱ個の要素を含み、ＱとＫはともに正整数であり、ＫはＱ以下である。
【０１２８】
図４は、本開示の実施形態に係るビームを復元する別の処理装置の構造ブロック図である。図４に示すように、本装置は以下を含む：第１タイプシグナリングを受信するように構成された受信モジュール４０、第１タイプシグナリングは、ビーム関連パラメータセット内のＫ個の要素が１以上の閾値をトリガするとき、第１通信ノードによって生成される；第１通信ノードから第２通信ノードへのビームリンクが中断したとき、Ｋ個の要素を用いてビームリンク復元を実行するように構成された処理モジュール４２。ビーム関連パラメータセットはＱ個の要素を含み、ＱとＫはともに正整数であり、ＫはＱ以下である。
【０１２９】
オプションとして、第１タイプシグナリングは以下のうち少なくともいずれかを含む：ビームレポート情報またはそのグループ、またはスケジューリングリクエスト；ビームレポート情報は、第１通信ノードまたは第２通信ノードが送信する以下の情報のうち少なくともいずれかによって表される：基準信号ポートインデックス、基準信号リソースインデックス、基準信号リソースセットインデックス、基準信号リソース割当インデックス、検索空間セットの要素に対応するインデックス、合意ビームセットの要素に対応するインデックス。
【０１３０】
オプションとして、第１タイプシグナリングは、以下のうち数なくとも１つのために用いられる：ビームレポートを動的に開始する；スケジューリングリソースを申請する；ビームリンク復元を開始する；ビームリンク確立を開始する。
【０１３１】
上記モジュールはソフトウェアまたはハードウェアによって実現できる。後者は以下の方法で実現できるがこれに限らない：上記モジュールを同じプロセッサに配置する；上記モジュールを任意の組み合わせ形態の異なるプロセッサに配置する。
【０１３２】
＜実施形態３＞
【０１３３】
本実施形態は、高周波数バンド５Ｇモバイル通信またはミリ波通信のシーンにおいて、ビーム復元構成を実装する方法と装置に関する。
【０１３４】
関連分野のミリ波通信システムにおいて、方向ビーム通信は、現リンクゲインを取得するとき空間伝搬の信号ダイバーシティを減少させ、移動ユーザとブロックチャネルの影響を受ける。これにより方向通信の安定性が乏しくなる。特に、ＵＥが高速移動するシーンにおいて、またはＤＲＸ時において、再通信時に無線通信の信頼性は保障できない。
【０１３５】
本開示の実施形態を介して、ベースステーションはユーザのシンボルおよび／またはシーケンスを１つまたはグループで構成し、ユーザは選択可能セットからシンボル／シーケンスを選択してビーム復元を実行し、これにより以後のユーザビームリンクのエラーを識別し、推奨するビーム復元方法を通知する。次に、ＱＣＬベースビーム通知またはビームロールバック方法を介して、ユーザはベースステーションに対して、利用可能ビーム情報を通知して、速やかなビームリンク復元を実現する。一方でユーザはビームリンクエラー後にベースステーションに対して速やかに通知して不要な信号送信を回避し、他方で構成済ビーム復元方法と新たなビームリンク候補の通知に基づき新たなビームリンク確立プロセスを高速化する。
【０１３６】
本実施形態の基準信号は、少なくとも以下のうちいずれかを含む：
【０１３７】
セル基準信号（ＣＲＳ）
【０１３８】
チャネル状態情報基準信号（ＣＳＩ−ＲＳ）
【０１３９】
ビーム管理チャネル状態情報基準信号
【０１４０】
チャネル状態情報干渉測定信号（ＣＳＩ−ＩＭ）
【０１４１】
復調基準信号（ＤＭＲＳ）
【０１４２】
ダウンリンク復調基準信号
【０１４３】
アップリンク復調基準信号
【０１４４】
チャネル品質測定用基準信号（ＳＲＳ）
【０１４５】
位相トラッキング基準信号（ＰＴ−ＲＳ）
【０１４６】
移動性関連基準信号（ＭＲＳ）
【０１４７】
ビーム基準信号（ＢＲＳ）
【０１４８】
ビーム精錬基準信号（ＢＲＳ）
【０１４９】
ランダムアクセスチャネル信号（ＲＡＣＨ）
【０１５０】
同期信号（ＳＳ）
【０１５１】
同期信号ブロック（ＳＳブロック）
【０１５２】
１次同期信号（ＰＳＳ）
【０１５３】
２次同期信号（ＳＳＳ）
【０１５４】
ＩＤは以下を含むがこれに限らない：ＭＡＣアドレス、セル無線ネットワーク一時ＩＤ（Ｃ−ＲＮＴＩ）、一時Ｃ−ＲＮＴＩ（ＴＣ−ＲＮＴＩ）、ベースステーションがＵＥに対して割り当てた専用ＩＤ。
【０１５５】
ビーム関連情報のグループは、同じチャネル特性および／または送信方式と関連チャネル状態情報を有するビームをセットにまとめることである。グループ化条件は、以下の１以上の組み合わせモードを含む：
【０１５６】
受信モードにしたがってグループ化する
【０１５７】
受信ビーム組み合わせにしたがってグループ化する
【０１５８】
アンテナグループにしたがってグループ化する
【０１５９】
受信信号パワーにしたがってグループ化する
【０１６０】
水平送信アジマス角にしたがってグループ化する
【０１６１】
垂直送信アジマス角にしたがってグループ化する
【０１６２】
水平受信アジマス角にしたがってグループ化する
【０１６３】
垂直受信アジマス角にしたがってグループ化する
【０１６４】
平均到着時間にしたがってグループ化する
【０１６５】
クラスタ到着時間にしたがってグループ化する
【０１６６】
リソースに対応する受信リソースにしたがってグループ化する
【０１６７】
規定多重化方法にしたがってグループ化する
【０１６８】
タイミングアドバンス（ＴＡ）パラメータにしたがってグループ化する
【０１６９】
巡回プレフィックス（ＣＰ）パラメータにしたがってグループ化する
【０１７０】
空間分割多重化方法にしたがってグループ化する
【０１７１】
ＱＣＬ関係にしたがってグループ化する
【０１７２】
ビームグループの極端なケース、すなわち各グループのビーム個数は、１である。
【０１７３】
チャネル特性は、物理伝搬チャネル特徴を含む。例えば水平送信アジマス角、垂直送信アジマス角、水平受信アジマス角、垂直送信アジマス角などである。また、無線周波数およびベースバンド回路の特徴を含む。例えばアンテナ素子パターン、アンテナ配置、ベースバンド時間バイアス、周波数バイアス、位相ノイズ、などである。
【０１７４】
本実施形態のグループは、セットと呼ぶ場合もある。
【０１７５】
チャネル特性は、物理伝搬チャネル特徴を含む。例えば水平送信アジマス角、垂直送信アジマス角、水平受信アジマス角、垂直送信アジマス角などである。また、無線周波数およびベースバンド回路の特徴を含む。例えばアンテナ素子パターン、アンテナグループ、バランスパネル、アンテナサブアレイ、送受信ユニット（ＴＸＲＵ）、受信ビームセット、アンテナ配置、ベースバンド時間バイアス、周波数バイアス、位相ノイズ、などである。
【０１７６】
ビームはリソースである（例：送信端プリコーディング、受信端プリコーディング、アンテナポート、アンテナ重みベクトル、アンテナ重みマトリクス、など）。ビームシンボルは、リソースマトリクスと置き換えることができる。ビームは時間周波数コードリソースと送信結合されているからである。ビームは送受信（送信／受信）方法であってもよい。送信モードは、空間分割多重化、周波数ドメイン／時間ドメインダイバーシティ、などを含む。
【０１７７】
ビーム通知は、ベースステーションがスキャンしまたはＵＥとアンテナポートがフィードバックおよびレポートした基準信号（またはベース基準信号）によって、現基準信号とアンテナポートがＱＣＬ仮定を充足するように、送信端が通知することである。
【０１７８】
受信ビームは、通知なしの受信端のビーム、あるいは、ベースステーションがスキャンしまたはＵＥとアンテナポートがフィードバックおよびレポートした基準信号（またはベース基準信号）によって、現基準信号とアンテナポートがＱＣＬ仮定を充足することを送信端が通知している、受信端のビームリソースのことである。
【０１７９】
ＱＣＬに関するパラメータは少なくとも以下を含む：ドップラースプレッド、ドップラーシフト、遅延スプレッド、平均遅延および平均ゲイン。また以下を含む：空間パラメータ情報（例：到着角、受信ビームの空間相関、平均遅延、時間−周波数チャネル応答の相関（位相情報を含む））
【０１８０】
＜フレームワーク実施形態＞
【０１８１】
図５は、本開示の実施形態に係るハイブリッドプリコーディング（ハイブリッドアナログ−デジタルビーム形成）指向トランシーバの概略構造図である。システムの送信端と受信端は、マルチアンテナユニットと複数の無線周波数リンクによって構成されている。各無線周波数リンクは、アンテナアレイユニット（部分接続を除外するものではない）と接続されており、各アンテナユニットはデジタルキー位相シフト器を有する。各アンテナユニット上の信号に対して異なる位相シフト量をロードする方法を介して、高周波バンドシステムは、シミュレーションモジュールにおいてビーム形成を実現する。例えばハイブリッドビーム形成トランシーバにおいて、複数の無線周波数信号フローが存在する。各信号フローはデジタルキー位相シフト器を介してＡＷＶを適用され、マルチアンテナユニットから高周波数バンド物理伝搬チャネルへ送信される。受信端において、マルチアンテナユニットが受信した無線信号フローは、重み付けされるとともに単一の信号フローへ統合され、受信端は無線周波数復調を実施する。受信器は最終的に、複数の受信信号フローを取得し、デジタルベースバンドによってサンプリングおよび受信される。したがってハイブリッドプリコーディング（ハイブリッドアナログ−デジタルビーム形成）トランシーバは、複数方向を指す無線周波数ビームを同時生成する。
【０１８２】
第１タイプシグナリングのトリガ条件、測定パイロット、構成候補、および送信方法（どの種類のチャネル化）は、以下の通りである。
【０１８３】
ユーザがフィードバックしたＣＱＩ品質が低すぎる場合、またはＮＡＣＫ性能が乏しい場合、またはＤＲＸ位相に入ることが必要な場合、および使用中のＫ個のビームリンクの品質が閾値よりも劣る場合、または制御チャネル／データチャネルを最後に受信成功してからの蓄積時間が閾値を超えている場合、ベースステーションはそのユーザのビーム復元構成を実施する。これに代えてユーザがシステムにアクセスした後、システムはそのユーザのビーム復元構成を起動してもよい。ビーム復元構成時において、１以上のユーザ専用シーケンスを各ユーザに対して割り当てる。複数のユーザ専用シーケンスシグナリングを用いて異なるビーム復元方式を示す場合、関連可能性があるパラメータは以下の通りである：第１通信ノードのＩＤ；第１シグナリングが送信するＯ個の時間−周波数リソース位置；第１シグナリングが送信した時間−周波数リソース位置と通知された基準信号との間の対応関係；第１タイプシグナリング送信後における第２通信ノードから第１通信ノードへの送信制御シグナリングの送信モード；第１タイプシグナリング送信後において第２通信ノードが第１通信ノードに対して制御シグナリングを送信することにより占有する時間−周波数リソースまたは時間−周波数リソース範囲；第１タイプシグナリング送信後における第２通信ノードから第２通信ノードへの制御シグナリング送信のブラインドテスト条件；第１通信ノードが第２通信ノードへ送信する基準信号の送信構成；第１通信ノードが第２通信ノードへ送信する基準信号の測定構成；第１通信ノードが第２通信ノードへ送信する基準信号のレポート構成；第２通信ノードが第１通信ノードへ送信する基準信号の送信構成；第２通信ノードが第１通信ノードへ送信する基準信号の測定構成；第２通信ノードが第１通信ノードへ送信する基準信号のレポート構成。
【０１８４】
Ｏは１以上の整数である。基準信号の構成を用いて、ＵＥが第１シグナリングのビーム復元を開始する前に利用可能ビームセットの発見をスピードアップでき、あるいは第１シグナリング後の後続ビームを精錬できる。以下のトリガリング条件の任意の組み合わせを充足したとき、ユーザはビーム復元フローを開始して、専用チャネル上で第１タイプシグナリング（ビーム復元シグナリング）を送信するように試み、時間−周波数リソースの位置を明示的および／または暗黙的に占有する方法を介して、１以上の利用可能ダウンリンク送信ビーム情報をベースステーションに対して通知するように試みる。
【０１８５】
Ｎ個の第１タイプビームリンクの品質が公開閾値または個別閾値以上である；Ｎ個の第１タイプビームリンクの品質と、Ｋ個の第２タイプビームリンクの品質合計との間の差分または比率が、公開閾値または個別閾値以上である；時間−周波数チャネル応答の相関、周波数ドメインチャネル応答の相関、またはＮ個の第１タイプビームリンクとＫ個の第２タイプビームリンクの空間ドメイン相関が、公開閾値または個別ペア閾値未満である；Ｎ個の第１タイプビームリンクのアジマス角と、Ｋ個の第２タイプビームリンクのアジマス角との間の差分または比率が、公開閾値または個別ペア閾値以上である；Ｋ個の第２タイプビームリンクの品質が公開閾値または個別閾値未満である；全ての第２タイプビームリンクの品質が公開閾値または個別閾値未満である；制御チャネル／データチャネルを最後に受信成功してからの蓄積時間が公開閾値または個別閾値よりも大きい；受信失敗の蓄積個数が公開閾値または個別閾値よりも大きい；ビームグループの調整情報；上記パラメータの一部の重み値または重み付き相関値。
【０１８６】
例えば組み合わせ条件タイプにおいて、Ｋ個の第２タイプビームの品質が公開閾値未満であるとき、および同時に、第１タイプビームの受信信号パワーが閾値よりも高い場合、ユーザは以下のビーム復元フローを開始する。チャネル非類似性またはビーム対応関係をサポートする場合、ユーザは特定のビーム復元チャネル上で第１タイプシグナリング（ビーム復元シグナリング）を速やかに送信することを、強調しておく。チャネル非類似性またはビーム対応関係がアップリンクまたはダウンリンク上でサポートされていない場合、ダウンリンクビームをガイドすることのみが考慮され、アップリンクビームは未知であり、第１タイプシグナリング（ビーム復元シグナリング）は複数の時間−周波数リソース上で繰り返し送信することが必要であり、あるいは必要なアップリンクビームスキャンを実行する。例として、第１タイプビームリンクの品質は未マークビームリンクの品質を表し、第２タイプビームリンクの品質はマーク済ビームリンクの品質を表す。
【０１８７】
ビーム復元フローは以下を含む：１）条件はユーザ行動トリガリングを充足する；２）ユーザが利用可能ビームを発見する；３）第１タイプシグナリングを送信してＴＲＰにイベント送信を通知する；４）ＴＲＰは第２タイプシグナリングをフィードバックしてビーム復元応答を生成する；５）ＵＥは第３タイプシグナリングを送信し、詳細ＩＤ情報（オプションとして、競合とＵＥグループシーン）をレポートする；６）ＴＲＰは第４タイプシグナリングを送信して、ＵＥＩＤ情報をフィードバックおよび確認する。
【０１８８】
図６は、本開示の実施形態に係るＣＳＩ−ＲＳ基準信号指向ビーム復元構成および起動プロセスである。ベースステーション／ＴＲＰはユーザのビーム復元構成を実行し、ユーザは、ユーザＩＤおよび／または規定ビーム復元構成を示すために用いる専用シーケンス／シンボルまたはリソース位置を有する。現通信リンクの品質が不十分であることをＵＥが発見すると、ビーム復元フローが起動され、ＵＥは周期送信ＣＳＩ−ＲＳシグナリングを検索することを試みる。利用可能ダウンリンクビームリンクが発見されると、ユーザはビーム復元チャネルを介して第１タイプシグナリングを送信し、ビームリンクエラーを識別し、ダウンリンクビーム候補を通知する。ここで、チャネル非類似性またはビーム対応関係がないシーンを考慮する。ＵＥは、ベースステーションに対して第１タイプシグナリングを複数回送信する方法を実施して、アップリンクビームスキャンを実施する必要がある。第１タイプシグナリングは、ダウンリンク送信ビームを通知することに加えて、以下を含むサブセットを通知することもできる：ユーザＩＤ、パイロット構成とビームトレーニングの時間周波数ウインドウを再アクティブ化する方法、制御シグナリングと制御チャネルの送信モードを送信するブラインド条件、など。ＩＤは、ユーザ専用ＩＤであり、ＵＥ結合後の共有ＩＤである。
【０１８９】
図７は、本開示の実施形態に係る専用ビーム復元チャネル（以下、専用チャネルと呼ぶ）の概略構造図である。図７ａは、ＣＰ＋ＳＥＱが占有する期間または長さが構成可能であり、保護ギャップを含むことを示す。図７ｂは、標準ＯＦＤＭシンボルを使用するが、共通または増加するＣＰを用いることを示す。図７ａはサンプルウインドウを調整することによってアップリンク同期エラーのシーンに対して適用でき、図７ｂはアップリンク同期が有効であるシーンに対してより適しており、図７ａの方法よりもコストが小さい。複数の専用チャネルは専用チャネルセットを構成し、専用チャネルセットはアップリンク受信ビームの全空間／専用空間のスキャンに対応する。各専用チャネルの受信ビームは一定だが、時間−周波数リソースの位置は以前送信した基準チャネルと結合した関係にある。すなわち、この位置における第１タイプシグナリングは、ダウンリンク送信ビームを暗黙的に示す。例えば第１周波数と時間ドメインに基づく方法にしたがって、以前のＣＳＩ−ＲＳまたはＳＳブロックに対して相関関係を順次形成する。
【０１９０】
専用ビーム復元チャネルセットは、Ｘ個の専用ビーム復元チャネル（ペア周期Ｔ）で構成されており、アップリンクトレーニングを実現する。したがって、第２シグナリングの後続ブラインドテストウインドウの記述は、Ｕ番目の専用ビーム復元チャネルに基づき開始する。Ｕは１以上の整数である。これは、複数の専用ビーム復元チャネルのなかで、ユーザは第２タイプのチャネルブラインドテストを実施する必要があることを意味する。
【０１９１】
図８は、本開示の実施形態１に係るＳＳブロック指向ビーム復元プロセスである。様々な基準信号タイプを考慮し、したがってベースステーションは、ビーム復元できる基準信号タイプを特定する必要がある。専用シーケンスは、ＰＲＡＣＨチャネルから分離された専用チャネルにおいて搬送される。専用シーケンスは、第１タイプシグナリングのパラメータセットに構成されており、第１タイプシグナリングとみなすことができる。ＱＣＬ関連通知は、ＳＳブロックブロックのＳＳＳとＰＳＳまたはＰＢＣＨのＤＭＲＳチャネルに対応する。
【０１９２】
送信する第２タイプシグナリングのコンテンツおよび結合ビームトレーニングを以下説明する。
【０１９３】
図９は、本開示の実施形態に係る第２タイプシグナリングのビーム復元プロセスである。第２タイプシグナリングはダウンリンク制御チャネルで搬送されるが、ダウンリンクデータチャネルで搬送することもできる。ブラインドテストウインドウのユーザは、第１タイプシグナリングにしたがって、通知されたダウンリンク受信ビームをデフォルトで用いるので、ベースステーションは通知ダウンリンク送信ビームを用いる。第２タイプシグナリングは、ユーザＩＤと結合ビームスキャンを含む必要があり、これによりＵＥ専用ビームスキャン通知とタイミングアドバンス（ＴＡ）を判定する。
【０１９４】
ビームスキャン送信が第１タイプシグナリングに対して必要である場合、第２タイプシグナリングにおいて最適アップリンク送信ビームに関するビーム通知を搬送する必要がある。第２タイプシグナリングの通知インデックスは、専用チャネルのインデックス番号からのものである。コスト抑制のため、Ｎ個の隣接専用チャネルに対して符号化を実行してもよい。
【０１９５】
第２タイプシグナリングにおいて、結合アップリンクおよびダウンリンクビームスキャンを構成する。ビーム復元の通知ビームはコスト抑制のためワイドビームなので、後続データ送信において、データ送信をよりよくするために精錬ビームが必要である。したがってダウンリンクビームスキャンとアップリンクビームスキャンは、ビーム復元の総プロセスをスピードアップできる。第１タイプシグナリングによって専用ＵＥ  ＩＤを用いる場合、アップリンクおよびダウンリンクビームトレーニングは同時にトリガされる。ただし、第１タイプシグナリングがＵＥグループＩＤを用いる場合、ダウンリンクビームトレーニングを実施し、アップリンクビームトレーニングはＵＥ決定後まで待つ必要がある。それ以外であれば、複数のＵＥはアップリンクビームトレーニングを同時開始し、これにより無意味なアップリンクトレーニングを実施することになる。ＵＥ  ＩＤを決定しない場合、後続ＰＵＣＣＨ上でユーザがユニークＩＤを送信した後、ビームトレーニングを再実施する。ビームトレーニングにおいて、ダウンリンク送信ビームと第１タイプシグナリングがビーム復元のために通知したビームはＱＣＬ仮定を充足し、アップリンクビームと第２タイプシグナリングが通知したビームはＱＣＬ仮定を充足する。
【０１９６】
ブラインドテストウインドウの長さと、ビーム復元構成のパラメータセットからのブラインドテストのリソース位置は、構成可能である。
【０１９７】
第３タイプシグナリングの送信するコンテンツ（グループ指向ＵＥ  ＩＤ）と第４タイプシグナリングを以下説明する。
【０１９８】
図１０は、本開示の実施形態に係るシグナリング相互通信モードの概略図である。図１０ａと図１０ｂは、第１および第２タイプ（２ステップモード）のシグナリングに対応する。第１タイプシグナリングから第４タイプシグナリング（４ステップモード）までの２つのシーンが含まれている。前者はユニークＵＥ  ＩＤを含む第１タイプシグナリングに対応し、後者はＵＥグループＩＤまたは競合ベースＩＤ番号を含む第２タイプシグナリングに対応する。例において：第１タイプシグナリングはユーザからベースステーションへの送信を表し（アップリンク）、ビーム復元はレポートに適用される；第２タイプシグナリングはベースステーションからユーザへの送信を表し（ダウンリンク）、ビーム復元は応答を形成する；第３タイプシグナリングはユーザからベースステーションへの送信を表し（アップリンク）、ユーザＩＤ情報をレポートする；第４タイプシグナリングは、ベースステーションからユーザへの送信を表し（ダウンリンク）、ベースステーションはユーザＩＤを確認する。
【０１９９】
第３タイプシグナリングと第４タイプシグナリングは、第１タイプシグナリング内の情報が通知できない状況に適応する。ベースステーションにおいて、ＵＥの特徴にしたがって異なる優先レベルを有するＵＥに対して異なるＩＤを割り当てる。すなわち、専用、グループベース、または完全競合のいずれかである。ここでいう３つの構成は、ベースステーションにおいて同時に実現できる。
【０２００】
図１１は、本開示の実施形態に係る第１タイプシグナリングセットとＵＥ  ＩＤとの間の関係の概略図である。図面において、ＵＥ  ＩＤは専用ＩＤだが、第１タイプシグナリングは複数のＵＥ  ＩＤに対応する場合があるので、ビームＩＤはこの時点において第１タイプシグナリングを介して直接決定できない。第３タイプシグナリングにおいて、コスト抑制のため、フィードバックは第１タイプシグナリングのために設計されたＵＥ  ＩＤ符号化後の数値に対してのみなされる。例えば（４）において、第３タイプシグナリングにおいて搬送する４つのＵＥ  ＩＤ間の記録した数値は、２ビット（００，０１，１０，１１）のみを必要とする。第３タイプシグナリング送信後、ユーザはＴＲＰから第４タイプシグナリングを受信するように試みる。第４タイプシグナリングが第１通信ノードのユニークＩＤを含む場合、または第１通信ノードのユニークＩＤにしたがって第４タイプシグナリングを受信およびデコードできた場合、第１通信ノードと第２通信ノードのビームリンク確立を表している。
【０２０１】
２ステップおよび４ステップモードの成功後、ユーザはビーム復元の成功を高次層に対して通知する。
【０２０２】
失敗した場合、ＲＬＦはステートメントを生成し、ＰＲＡＣＨ（競合なし時間を含む）を用いてアクセスする。
【０２０３】
図１２は、本開示の実施形態に係るビーム復元失敗後において用いるＰＲＡＣＨランダムアクセスの概略図である。ブラインドテストウインドウのもと、ベースステーションからの第２タイプシグナリングは受信成功せず、ＵＥは無線リンクエラーを高次層に対して送信する必要がある。この時点においてＵＥは、ベーシックＰＲＡＣＨを用いて無線アクセスを試みる。
【０２０４】
本実施形態において、スケジューリングリクエストに基づくビーム報告方法は、以下の通りである。
【０２０５】
図１３は、本開示の実施形態に係るスケジューリングリクエストベースビームレポートの実施形態を示す。スケジューリングリクエストは、端末がアップリンクスケジューラに対してアップリンクリソースを要求する簡潔な形式のものであり、ビームレポートリクエストを含むシグナリングを必要とする。事前構成ＳＲギャップにおいて、ユーザはスケジューリングリクエスト（ＳＲ）の送信機会を割り当てられる。ビーム関連トリガリング条件が充足すると、スケジューリングリクエストの送信がトリガされ、ビームリクエストレポートを送信するＳＲが隣接ＳＲ送信タイミングにおいて実行される。ＴＲＰが受け取るスケジューリングリクエストに対するスケジューリングリクエスト応答を受信した後、ユーザはスケジューリングリクエスト応答によって割り当てられたリソース上でビームレポートを実行する。ここでは２つの構成を含む。１つ目は、レポートリソースがアップリンク制御チャネル（ＰＵＣＣＨ）であり、ビームレポートがＵＣＩによって搬送される。２つ目は、レポートリソースがアップリンクデータチャネル（ＰＤＣＣＨ）である場合、ビームレポートはＭＡＣ−ＣＥまたはＲＲＣシグナリングによって搬送される。ビームレポートは少なくとも以下の情報を含む：通知された基準信号タイプ、基準信号リソースセットインデックス、基準信号リソースインデックス、基準信号ポートインデックス。例えばマークは、基準信号ＳＳＳのビームレポートからのものである。
【０２０６】
まとめると、本開示の実施形態が提供する技術的手段に基づき、ベースステーションはユーザのためにシンボル／シーケンスの１以上のグループを構成し、ユーザは選択可能セットからシンボル／シーケンスを選択してビーム復元を実施し、以後のユーザビームリンクエラーをマークし、推奨ビーム復元方法を通知する。次にＱＣＬベースビーム通知またはビームロールバック方法を介して、ユーザはベースステーションに対して利用可能ビーム情報を通知して、速やかなビームリンク復元を実現する。一方では、ユーザはビームリンクエラー後にベースステーションへ速やかに通知して不要な信号送信を回避し、他方では、構成済ビーム復元方法と新たなビームリンク候補の通知に基づき、新たなビームリンク確立プロセスを高速化する。
【０２０７】
＜実施形態４＞
【０２０８】
本開示の実施形態はさらに、記憶媒体を提供する。オプションとして本実施形態において、記憶媒体は以下のステップを実施するプログラムコードを格納するように構成できる：Ｓ１、ビーム関連パラメータセット内のＫ個の要素が１以上の閾値をトリガするとき、第１タイプシグナリングを生成する；Ｓ２、第２通信ノードに対して第１タイプシグナリングを送信する。
【０２０９】
オプションとして本実施形態において、記憶媒体は以下を含むがこれに限らない：ＵＳＢフラッシュディスク、読取専用メモリ（ＲＯＭ）、ランダムアクセスメモリ（ＲＡＭ）、リムーバブルハードディスク、磁気ディスク、光ディスク、その他プログラムコードを格納できる媒体。
【０２１０】
オプションとして本実施形態において、記憶媒体に格納したプログラムコードにしたがって、プロセッサは、ビーム関連パラメータセット内のＫ個の要素が１以上の閾値をトリガするとき、第１タイプシグナリングを生成する。
【０２１１】
オプションとして本実施形態において、記憶媒体が格納しているプログラムコードにしたがって、プロセッサは、第２通信ノードに対して第１タイプシグナリングを送信する。
【０２１２】
オプションとして、本実施形態の具体例は、上記実施形態およびオプション実施例を表しており、詳細は改めて説明しない。
【０２１３】
本開示のモジュールやステップは一般的なコンピュータ装置によって実現でき、１つのコンピュータ装置に統合してもよいし複数コンピュータ装置を有するネットワーク上に分散してもよいことを、当業者は理解すべきである。オプションとして、モジュールやステップは、コンピュータ装置が実行するプログラムコードを用いて実現でき、したがってコンピュータ装置に格納してコンピュータ装置が実行できる。さらに場合によっては、説明したステップは本明細書とは異なる順番で実施でき、あるいは集積回路モジュールを構成することができ、あるいは複数のモジュールやステップを１つの集積モジュールで実現できる。このように本開示は、具体的なハードウェアやソフトウェアの組み合わせに限定されない。
【０２１４】
以上は本開示の望ましい実施形態に過ぎず、本開示を限定することを意図するものではない。本開示に対する変更や変形は、当業者にとって明らかである。本開示の要旨と原理の範囲内における任意の変更、等価置換、改善は、本発明の保護範囲内である。
【図１】
2020515180.tif 000003
【図２】
2020515180.tif 000004
【図３】
2020515180.tif 000005
【図４】
2020515180.tif 000006
【図５】
2020515180.tif 000007
【図６】
2020515180.tif 000008
【図７ａ】
2020515180.tif 000009
【図７ｂ】
2020515180.tif 000010
【図８】
2020515180.tif 000011
【図９】
2020515180.tif 000012
【図１０ａ】
2020515180.tif 000013
【図１０ｂ】
2020515180.tif 000014
【図１１】
2020515180.tif 000015
【図１２】
2020515180.tif 000016
【図１３】
2020515180.tif 000017
【手続補正書】
【提出日】令和1年11月6日(2019.11.6)
【手続補正１】
【補正対象書類名】特許請求の範囲
【補正対象項目名】全文
【補正方法】変更
【補正の内容】
【特許請求の範囲】
【請求項１】
無線通信方法であって、
リンク品質セット内の全要素が閾値よりも劣ると判定したとき、端末デバイスにより、第１タイプシグナリングを生成するステップであって、前記第１タイプシグナリングは、基準信号のリソースセットから選択されたリソースに対応するインデックスを含む、ステップ、
前記端末デバイスにより、ランダムアクセスチャネル上でベースステーションに対して前記第１タイプシグナリングを送信するステップ、
を有する
ことを特徴とする方法。
【請求項２】
前記方法はさらに、
前記ベースステーションに対して前記第１タイプシグナリングを送信した後、前記端末デバイスから前記第１タイプシグナリングを前記ベースステーションが受信したことを通知する第２タイプシグナリングを、前記ベースステーションから受信するステップを有し、
前記第２タイプシグナリングはさらに、前記端末デバイスのＩＤを含む
ことを特徴とする請求項１記載の方法。
【請求項３】
前記方法はさらに、
前記第１タイプシグナリングを送信することによりビームリンク復元手順を開始するステップを有する
ことを特徴とする請求項１記載の方法。
【請求項４】
前記リンク品質セット内のリンク品質に対応するリンクは、構成済リソースセットまたは複数の構成済リソースセット内のアクティブ化セットに基づき判定される
ことを特徴とする請求項１記載の方法。
【請求項５】
前記リンク品質セット内のリンク品質は、ブロックエラー率（ＢＬＥＲ）を含む
ことを特徴とする請求項１記載の方法。
【請求項６】
前記方法はさらに、
前記端末デバイスにより、（１）前記選択したリソースとダウンリンク制御チャネルとの間、または（２）前記選択したリソースとダウンリンクデータチャネルとの間、の疑似同位置（ＱＣＬ）関係を仮定するステップを有する
ことを特徴とする請求項２記載の方法。
【請求項７】
無線通信方法であって、
ベースステーションによって、端末デバイスから第１タイプシグナリングを受信するステップであって、前記第１タイプシグナリングは、基準信号のリソースセットから選択したリソースに対応するインデックスを含み、前記リソースは、リンク品質セット内の全要素が閾値よりも劣ることに起因して選択される、ステップ、
前記ベースステーションが前記第１タイプシグナリングを前記端末デバイスから受信したことを通知する第２タイプシグナリングを、前記ベースステーションが前記端末デバイスに対して送信するステップであって、前記第２タイプシグナリングはさらに、前記端末デバイスのＩＤを含む、ステップ、
を有する
ことを特徴とする方法。
【請求項８】
前記リンク品質セット内のリンク品質に対応するリンクは、構成済リソースセットまたは複数の構成済リソースセット内のアクティブ化セットに基づき判定される
ことを特徴とする請求項７記載の方法。
【請求項９】
前記リンク品質セット内のリンク品質は、ブロックエラー率（ＢＬＥＲ）を含む
ことを特徴とする請求項７記載の方法。
【請求項１０】
無線通信装置であって、
プロセッサ、
プロセッサ実行可能コードを含むメモリ、
を備え、
前記プロセッサ実行可能コードは、前記プロセッサに、
リンク品質セット内の全要素が閾値よりも劣ると判定したとき、第１タイプシグナリングを生成するステップであって、前記第１タイプシグナリングは、基準信号のリソースセットから選択されたリソースに対応するインデックスを含む、ステップ、
ランダムアクセスチャネル上でベースステーションに対して前記第１タイプシグナリングを送信するステップ、
前記ベースステーションが前記第１タイプシグナリングを受信したことを通知する第２タイプシグナリングを、前記ベースステーションから受信するステップであって、前記第２タイプシグナリングはさらに、前記端末デバイスのＩＤを含む、ステップ、
を実行させる
ことを特徴とする装置。
【請求項１１】
前記プロセッサ実行可能コードは、前記プロセッサにさらに、
（１）前記選択したリソースとダウンリンク制御チャネルとの間、または（２）前記選択したリソースとダウンリンクデータチャネルとの間、の疑似同位置（ＱＣＬ）関係を仮定するステップを実行させる
ことを特徴とする請求項１０記載の装置。
【請求項１２】
無線通信装置であって、
プロセッサ、
プロセッサ実行可能コードを含むメモリ、
を備え、
前記プロセッサ実行可能コードは、前記プロセッサに、
端末デバイスから第１タイプシグナリングを受信するステップであって、前記第１タイプシグナリングは、基準信号のリソースセットから選択したリソースに対応するインデックスを含み、前記リソースは、リンク品質セット内の全要素が閾値よりも劣ることに起因して選択される、ステップ、
前記第１タイプシグナリングを受信したことを通知する第２タイプシグナリングを、前記端末デバイスに対して送信するステップであって、前記第２タイプシグナリングはさらに、前記端末デバイスのＩＤを含む、ステップ、
を実行させる
ことを特徴とする装置。
【請求項１３】
前記リンク品質セット内のリンク品質に対応するリンクは、構成済リソースセットまたは複数の構成済リソースセット内のアクティブ化セットに基づき判定される
ことを特徴とする請求項１０または１２記載の装置。
【請求項１４】
前記リンク品質セット内のリンク品質は、ブロックエラー率（ＢＬＥＲ）を含む
ことを特徴とする請求項１０または１２記載の装置。
【請求項１５】
プロセッサが実行することにより、前記プロセッサに、請求項１から９のいずれか１項記載の方法を実行させることを特徴とする記憶媒体。
【国際調査報告】
2020515180.tif 000018
2020515180.tif 000019
2020515180.tif 000020
2020515180.tif 000021